(57)【要約】【課題】操作性の高い表示システムの提供。【解決手段】表示システム（１）は、遠隔操作装置（１００ａ）のタッチパッド（１０１ａ）における操作指示体のタッチ位置を検出するタッチ位置検出手段（１０３ａ）により検出された座標値を参照した動作を行う第１の動作モードと、操作指示体のタッチパッド上の移動量を検出する移動量検出手段（１０２ａ）により検出された移動量に基づいてポインタを移動させる第２の動作モードとを有する。【選択図】図１
2015075946.tif 000002
【特許請求の範囲】
【請求項１】
表示装置と、当該表示装置を操作するための遠隔操作装置と、を備えた表示システムであって、
上記遠隔操作装置は、操作指示体による入力操作を受け付けるタッチパッドを備え、
当該表示システムは、
上記タッチパッドにおける上記操作指示体のタッチ位置を検出するタッチ位置検出手段と、
上記タッチパッドにタッチした上記操作指示体の上記タッチパッド上の移動量を検出する移動量検出手段と、を備え、
上記表示装置は、
上記タッチ位置検出手段によって検出された座標値を参照した動作を行う第１の動作モードと、
上記移動量検出手段により検出された移動量に基づいて、上記表示装置が表示する表示画像上のポインタを移動させる第２の動作モードとを有する、
ことを特徴とする表示システム。
【請求項２】
上記第１の動作モードと、上記第２の動作モードとを切り替える切替手段を更に備えている、
ことを特徴とする請求項１に記載の表示システム。
【請求項３】
上記切替手段は、上記タッチ位置検出手段が上記タッチパッド上の予め定められた第１の領域へのタッチを検出した場合に、上記第１の動作モードと、上記第２の動作モードとを切り替える、
ことを特徴とする請求項２に記載の表示システム。
【請求項４】
上記タッチパッド上におけるジェスチャを検出するジェスチャ検出手段を更に備え、
上記切替手段は、上記ジェスチャ検出手段により検出されたジェスチャが、予め定められたジェスチャである場合に、上記第１の動作モードと、上記第２の動作モードとを切り替える、
ことを特徴とする請求項２または３に記載の表示システム。
【請求項５】
上記切替手段は、上記タッチ位置検出手段が上記タッチパッド上の２点タッチを検出した場合に、上記第１の動作モードと、上記第２の動作モードとを切り替え、上記タッチ位置検出手段が当該２点タッチの検出を終了した場合に、上記第１の動作モードと、上記第２の動作モードとを切り替える、
ことを特徴とする請求項２から４の何れか１項に記載の表示システム。
【請求項６】
上記切替手段は、上記表示装置が実行するアプリケーションに応じて、上記第１の動作モードと、上記第２の動作モードとを切り替える、
ことを特徴とする請求項２から５の何れか１項に記載の表示システム。
【請求項７】
上記遠隔操作装置は、上記遠隔操作装置の振動を検知する振動センサを更に備え、
上記切替手段は、上記振動センサにより振動が検知された場合に、上記第１の動作モードと、上記第２の動作モードとを切り替える、
ことを特徴とする請求項２から６の何れか１項に記載の表示システム。
【請求項８】
上記遠隔操作装置のユーザを特定する特定手段、を更に備え、
上記切替手段は、上記特定手段により特定されたユーザに応じて上記第１の動作モードと、上記第２の動作モードとを切り替える、
ことを特徴とする請求項２から７の何れか１項に記載の表示システム。
【請求項９】
上記操作指示体による上記タッチパッドに対する押下を検出する押下検出手段を更に備え、
上記切替手段は、上記押下検出手段が上記タッチパッドに対する押下を検出した場合に、上記第１の動作モードと、上記第２の動作モードとを切り替え、上記押下検出手段が当該押下の検出を終了した場合に、上記第１の動作モードと、上記第２の動作モードとを切り替える、
ことを特徴とする請求項２から８の何れか１項に記載の表示システム。
【請求項１０】
上記押下検出手段が上記タッチパッドに対する押下を検出した場合に、上記表示画像に含まれる１又は複数のオブジェクトのうち、上記ポインタが指し示す位置に表示されているオブジェクトの状態を選択状態にし、上記押下検出手段が当該押下の検出を終了した場合に、当該オブジェクトの状態を非選択状態にするオブジェクト選択手段をさらに備えている、
ことを特徴とする請求項９に記載の表示システム。
【請求項１１】
遠隔操作装置により操作される表示装置であって、
上記遠隔操作装置の備えるタッチパッドにおける操作指示体のタッチ位置を取得するタッチ位置取得手段と、
上記タッチパッドにタッチした上記操作指示体の上記タッチパッド上の移動量を取得する移動量取得手段と、を備え、
上記タッチ位置取得手段により取得した座標値を参照した動作を行う第１の動作モードと、
上記移動量取得手段により取得した移動量に基づいて、当該表示装置が表示する表示画像上のポインタを移動させる第２の動作モードとを有する、
ことを特徴とする表示装置。
【請求項１２】
請求項１１に記載の表示装置を備えていることを特徴とするテレビジョン受像機。
【請求項１３】
表示装置を操作するための遠隔操作装置であって、
操作指示体による入力操作を受け付けるタッチパッドと、
上記タッチパッドにおける上記操作指示体のタッチ位置を検出するタッチ位置検出手段と、
上記タッチパッドにタッチした上記操作指示体の上記タッチパッド上の移動量を検出する移動量検出手段と、を備え、
上記タッチ位置検出手段により検出された座標値を参照した操作指示を行う第１の動作モードと、
上記移動量検出手段により検出された移動量に基づいて、上記表示装置が表示する表示画像上のポインタを移動させる旨の指示を行う第２の動作モードとを有する、
ことを特徴とする遠隔操作装置。
【請求項１４】
表示装置と、当該表示装置を操作するための遠隔操作装置と、を備えた表示システムの制御方法であって、
上記遠隔操作装置は、操作指示体による入力操作を受け付けるタッチパッドを備え、
上記タッチパッドにおける上記操作指示体のタッチ位置を検出するタッチ位置検出ステップと、
上記タッチパッドにタッチした上記操作指示体の上記タッチパッド上の移動量を検出する移動量検出ステップと、を含み、
上記表示装置は、
上記タッチ位置検出ステップにて検出された座標値を参照した動作を行う第１の動作モードと、
上記移動量検出ステップにて検出された移動量に基づいて、上記表示装置が表示する表示画像上のポインタを移動させる第２の動作モードとを有する、
ことを特徴とする表示システムの制御方法。
【請求項１５】
遠隔操作装置により操作される表示装置の制御方法であって、
上記遠隔操作装置の備えるタッチパッドにおける操作指示体のタッチ位置を取得するタッチ位置取得ステップと、
上記タッチパッドにタッチした上記操作指示体の上記タッチパッド上の移動量を取得する移動量取得ステップと、を含み、
上記タッチ位置取得ステップにて取得した座標値を参照した操作指示を行う第１の動作モードと、
上記移動量取得ステップにて取得した移動量に基づいて、当該表示装置が表示する表示画像上のポインタを移動させる旨の指示を行う第２の動作モードとを有する、
ことを特徴とする表示装置の制御方法。
【請求項１６】
表示装置を操作するための遠隔操作装置の制御方法であって、
操作指示体による入力操作を受け付けるタッチパッドにおける上記操作指示体のタッチ位置を検出するタッチ位置検出ステップと、
上記タッチパッドにタッチした上記操作指示体の上記タッチパッド上の移動量を検出する移動量検出ステップと、を含み、
上記遠隔操作装置は、
上記タッチ位置検出ステップにて検出された座標値を参照した動作を行う第１の動作モードと、
上記移動量検出ステップにて検出された移動量に基づいて、上記表示装置が表示する表示画像上のポインタを移動させる第２の動作モードとを有する、
ことを特徴とする遠隔操作装置の制御方法。
【請求項１７】
請求項１１に記載の表示装置としてコンピュータを機能させるための制御プログラムであって、コンピュータを上記各手段として機能させるための制御プログラム。
【請求項１８】
請求項１３に記載の遠隔操作装置としてコンピュータを機能させるための制御プログラムであって、コンピュータを上記各手段として機能させるための制御プログラム。
【請求項１９】
請求項１７または１８に記載の制御プログラムを記録したコンピュータ読み取り可能な記録媒体。
【発明の詳細な説明】
【技術分野】
【０００１】
本発明は、表示装置と当該表示装置を操作する遠隔操作装置とを備えた表示システム、及び当該表示システムに含まれる表示装置、及び遠隔操作装置に関する。また、本発明は、そのような表示システム、表示装置、及び遠隔操作装置に適用可能な制御方法、制御プログラム、および記録媒体に関する。
【背景技術】
【０００２】
従来から入力デバイスとしてタッチパッドを備えた電子機器が普及しており、タッチパッドを用いることにより、マウスを用いた操作入力と同様の操作入力を行うことができる。さらに近年では、タッチパッドと、画像を表示する表示部とが一体化したタッチパネルを備えたスマートフォン、及びタブレット型端末等が普及しており、タッチパネルを用いた操作入力も一般的になってきている。タッチパッドと表示面とが一体化しているため、タッチパネルを用いた操作入力においては、直感的な操作入力を行うことができる。
【０００３】
タッチパネルを用いた操作方法の一例として、例えば、特許文献１には、タッチ操作の利便性を向上するための情報処理装置に関する技術が記載されている。特許文献１に記載の情報処理装置は、ユーザからのタッチ位置に応じてカーソルを表示部に表示し、当該タッチが継続している間、カーソルを一定方向に移動させる。
【先行技術文献】
【特許文献】
【０００４】
【特許文献１】特開２０１３−９７７６３号公報（２０１３年５月２０日公開）
【発明の概要】
【発明が解決しようとする課題】
【０００５】
テレビジョン受像機（以下、ＴＶと記載）の高機能化、大型化に伴って、ＴＶに対する入力デバイスも多様になってきている。そのようなＴＶに対する入力デバイスの一例として、例えば、従来のようなＴＶ用の遠隔操作装置（以下、リモコンと記載）、マウス、またはタッチパッドなどが挙げられる。各種の入力デバイスは、それぞれ異なる特徴を有している。例えば、マウスを用いた操作入力においては、複数のオブジェクトのうち何れかを選択するような操作入力が容易である。一方、タッチパネルを用いた操作入力においては、表示画像の移動、及び表示画像を拡大または縮小するような操作入力が容易である。したがって、ユーザは、用途に応じて入力デバイスを使い分けることが望ましい。
【０００６】
しかしながら、用途に応じて入力デバイスを変更することは、ユーザにとって煩雑な操作を要求することになり、結果として、ユーザの操作性を低下させ得るという課題があった。
【０００７】
本発明は、上記の課題に鑑みて行われたものであり、その目的は、ユーザの操作性を向上させることが可能な表示システムを提供することにある。
【課題を解決するための手段】
【０００８】
上記の課題を解決するために、本発明の一態様に係る表示システムは、表示装置と、当該表示装置を操作するための遠隔操作装置と、を備えた表示システムであって、上記遠隔操作装置は、操作指示体による入力操作を受け付けるタッチパッドを備え、当該表示システムは、上記タッチパッドにおける上記操作指示体のタッチ位置を検出するタッチ位置検出手段と、上記タッチパッドにタッチした上記操作指示体の上記タッチパッド上の移動量を検出する移動量検出手段と、を備え、上記表示装置は、上記タッチ位置検出手段によって検出された座標値を参照した動作を行う第１の動作モードと、上記移動量検出手段により検出された移動量に基づいて、上記表示装置が表示する表示画像上のポインタを移動させる第２の動作モードとを有する、ことを特徴としている。
【０００９】
また、上記の課題を解決するために、本発明の一態様に係る表示装置は、遠隔操作装置により操作される表示装置であって、上記遠隔操作装置の備えるタッチパッドにおける操作指示体のタッチ位置を取得するタッチ位置取得手段と、上記タッチパッドにタッチした上記操作指示体の上記タッチパッド上の移動量を取得する移動量取得手段と、を備え、上記タッチ位置取得手段により取得した座標値を参照した動作を行う第１の動作モードと、上記移動量取得手段により取得した移動量に基づいて、当該表示装置が表示する表示画像上のポインタを移動させる第２の動作モードとを有する、ことを特徴としている。
【００１０】
また、上記の課題を解決するために、本発明の一態様に係る遠隔操作装置は、表示装置を操作するための遠隔操作装置であって、操作指示体による入力操作を受け付けるタッチパッドと、上記タッチパッドにおける上記操作指示体のタッチ位置を検出するタッチ位置検出手段と、上記タッチパッドにタッチした上記操作指示体の上記タッチパッド上の移動量を検出する移動量検出手段と、を備え、上記タッチ位置検出手段により検出された座標値を参照した操作指示を行う第１の動作モードと、上記移動量検出手段により検出された移動量に基づいて、上記表示装置が表示する表示画像上のポインタを移動させる旨の指示を行う第２の動作モードとを有する、ことを特徴としている。
【００１１】
また、上記の課題を解決するために、本発明の一態様に係る表示システムの制御方法は、表示装置と、当該表示装置を操作するための遠隔操作装置と、を備えた表示システムの制御方法であって、上記遠隔操作装置は、操作指示体による入力操作を受け付けるタッチパッドを備え、上記タッチパッドにおける上記操作指示体のタッチ位置を検出するタッチ位置検出ステップと、上記タッチパッドにタッチした上記操作指示体の上記タッチパッド上の移動量を検出する移動量検出ステップと、を含み、上記表示装置は、上記タッチ位置検出ステップにて検出された座標値を参照した動作を行う第１の動作モードと、上記移動量検出ステップにて検出された移動量に基づいて、上記表示装置が表示する表示画像上のポインタを移動させる第２の動作モードとを有する、ことを特徴としている。
【００１２】
また、上記の課題を解決するために、本発明の一態様に係る表示装置の制御方法は、遠隔操作装置により操作される表示装置の制御方法であって、上記遠隔操作装置の備えるタッチパッドにおける操作指示体のタッチ位置を取得するタッチ位置取得ステップと、上記タッチパッドにタッチした上記操作指示体の上記タッチパッド上の移動量を取得する移動量取得ステップと、を含み、上記タッチ位置取得ステップにて取得した座標値を参照した操作指示を行う第１の動作モードと、上記移動量取得ステップにて取得した移動量に基づいて、当該表示装置が表示する表示画像上のポインタを移動させる旨の指示を行う第２の動作モードとを有する、ことを特徴としている。
【００１３】
また、上記の課題を解決するために、本発明の一態様に係る遠隔操作装置の制御方法は、表示装置を操作するための遠隔操作装置の制御方法であって、操作指示体による入力操作を受け付けるタッチパッドにおける上記操作指示体のタッチ位置を検出するタッチ位置検出ステップと、上記タッチパッドにタッチした上記操作指示体の上記タッチパッド上の移動量を検出する移動量検出ステップと、を含み、上記遠隔操作装置は、上記タッチ位置検出ステップにて検出された座標値を参照した操作指示を行う第１の動作モードと、上記移動量検出ステップにて検出された移動量に基づいて、上記表示装置が表示する表示画像上のポインタを移動させる旨の指示を行う第２の動作モードとを有する、ことを特徴としている。
【発明の効果】
【００１４】
本発明の一態様によれば、ユーザの操作性を向上させることが可能な表示システムを提供することができる。
【図面の簡単な説明】
【００１５】
【図１】本発明の一実施形態に係る遠隔操作装置の構成と、当該遠隔装置の操作対象である表示装置の構成例を示す機能ブロック図である。
【図２】図１に示す遠隔操作装置によって操作された表示装置が表示する画面の遷移の一例を示す概要図であり、（ａ）は、第１の動作モードによる操作が行われた場合の画面遷移の一例を示し、（ｂ）は、第２の動作モードによる操作が行われた場合の画面遷移の一例を示している。
【図３】図１に示す遠隔操作装置における、動作モードを切り替えるトリガの一例について説明するための概念図である。（ａ）は、タッチパッド上の予め定められた第１の領域へのタッチを検出することをトリガとする場合を示し、（ｂ）は、予め定められたジェスチャを検出することをトリガとする場合を示し、（ｃ）は、（ｂ）に示す予め定められたジェスチャの他の一例を示している。
【図４】図１に示す遠隔操作装置における動作モードの切り替え手順の一例について説明するためのフローチャートである。
【図５】図１に示す遠隔操作装置における、動作モードを切り替えるトリガの他の一例について説明するための概念図である。（ａ）は、１点タッチによる操作入力を示し、（ｂ）は、２点タッチによる操作入力を示している。
【図６】図１に示す遠隔操作装置において、図５の（ｂ）に示す２点タッチをトリガとする場合の動作モードの切り替え手順の一例について説明するためのフローチャートである。
【図７】図１に示す表示装置がアプリケーションを実行して表示する表示画面の遷移について説明するための概要図である。（ａ）は、表示装置が表示する表示画面の遷移を示し、（ｂ）は、図１に示す遠隔操作装置が、（ａ）に示す画面遷移を指示するために受け付ける操作入力の一例を示している。
【図８】図１に示す遠隔操作装置において、図１に示す表示装置が実行するアプリケーションに応じて、動作モードを切り替える手順の一例について説明するためのフローチャートである。
【図９】図１に示す遠隔操作装置において、当該遠隔操作装置のユーザを特定し、特定されたユーザに応じて動作モードを切り替える手順の一例について説明するためのフローチャートである。
【図１０】図１に示す遠隔操作装置において、第１の動作モードから第２の動作モードに切り替える際に、図１に示す表示装置が表示する画面の遷移の一例について説明するための遷移図である。
【図１１】図１に示す遠隔操作装置が検出したタッチ位置に応じて動作モードを一時的に切り替える場合において、動作モードを切り替えるトリガの一例を説明するための概念図である。（ａ）は、タッチパッド上のタッチ位置に対応する表示面の位置が、２画面表示のうちのＴＶ画像を表示するための領域であることをトリガとする場合を示し、（ｂ）は、タッチパッド１０１上のタッチ位置に対応する表示面の位置が、表示面の周縁部であることをトリガとする場合を示し、（ｃ）は、タッチ位置が、タッチパッド上の予め定められた領域であることをトリガとする場合を示している。
【図１２】図１に示す遠隔操作装置において、図１１に示すトリガにより、動作モードを切り替える手順の一例について説明するためのフローチャートである。
【図１３】本発明の一実施形態に係る表示システムであって、表示装置と、当該表示装置を操作するための遠隔操作装置と、を備えた表示システムの構成例を示す機能ブロック図である。
【図１４】本発明の一実施形態に係る表示システムであって、表示装置と、当該表示装置を操作するための遠隔操作装置と、を備えた表示システムの構成例を示す機能ブロック図である。
【図１５】図１４に示す遠隔操作装置の構成を示す概念図である。（ａ）は、図１４に示す遠隔操作装置の構成を示す上面図であり、（ｂ）は、図１４に示す遠隔操作装置の断面構成を示す断面図であり、（ｃ）は、図１４に示す遠隔操作装置において、タッチパッドが押下されている状態の遠隔操作装置の断面構成を示す断面図である。
【図１６】図１４に示す表示システムが表示する画面の遷移の一例を示す遷移図である。
【図１７】図１４に示す表示システムが表示する画面の遷移の他の一例を示す遷移図である。
【図１８】図１４に示す表示システムが行う処理の流れを示すシーケンス図である。
【発明を実施するための形態】
【００１６】
〔実施形態１〕
以下、本発明の第１の実施形態について、図１〜図４を参照しながら詳細に説明する。本実施形態に係る遠隔操作装置は、表示装置を操作するための遠隔操作装置であって、タッチパッドにおける操作指示体のタッチに基づいて動作する第１の動作モード及び第２の動作モードを有している遠隔操作装置である。また、本実施形態に係る遠隔操作装置の操作対象である表示装置は、放送波を受信して得られるＴＶ画像と、１又は複数のプログラムを実行して得られる画像とを同時に表示することが可能な表示装置である。
【００１７】
（遠隔操作装置１００の構成）
本実施形態に係る遠隔操作装置（以下、リモートコントローラ、またはリモコンと記載）１００について、図１を参照しながら説明する。図１は、本実施形態に係るリモコン１００の構成、及びリモコン１００の操作対象である表示装置２００の構成を示す機能ブロック図である。
【００１８】
図１に示すようにリモコン１００は、タッチパッド１０１、移動量検出部１０２、タッチ位置検出部１０３、ジェスチャ検出部１０４、演算処理部１０５、通信部１０６、記憶部１０７、動作モード切替部１０８、及び振動センサ１０９を備えている。
【００１９】
タッチパッド１０１は、操作指示体（例えば、指、スタイラスペンなど）による操作入力を受け付けるための手段である。本実施形態において、タッチパッド１０１は、操作指示体によるタッチパッド１０１へのタッチを検知することにより、操作入力を受け付ける。タッチパッド１０１は、例えば、静電容量方式を採用することにより、操作指示体によるタッチを検知することができる。なお、タッチパッド１０１が受け付ける操作入力としては、例えば、スライド（タッチ面にタッチしたままの状態で、タッチ面をなぞる動作）操作、及びタップ（タッチ後、すぐに操作指示体を離す動作）操作などが挙げられる。また、スライド操作には、フリック（タッチ面を指で軽くはらう動作）操作が含まれる。
【００２０】
タッチ位置検出部１０３は、タッチパッド１０１における操作指示体のタッチ位置を検出するための手段（タッチ位置検出手段）である。本実施形態において、タッチ位置検出部１０３は、タッチパッド１０１が操作指示体によるタッチを検知すると、当該タッチのタッチ位置を検出し、タッチ位置を示すタッチ位置データを生成する。生成されたタッチ位置データは、演算処理部１０５及び動作モード切替部１０８へ供給される。タッチ位置検出部１０３が生成するタッチ位置データは、例えば、タッチパッド１０１の中心または、四隅のうち何れか一点を原点として互いに直交するｘ軸及びｙ軸を定義し、ｘｙ平面上の座標データの形式とすればよい。
【００２１】
移動量検出部１０２は、操作指示体のタッチパッド１０１上の移動量を検出するための手段（移動量検出手段）である。本実施形態において、移動量検出部１０２は、タッチパッド１０１が操作指示体によるタッチを検知すると、当該操作指示体のタッチパッド１０１上の移動量を検出する。移動量検出部１０２は、例えば、操作指示体によるタッチパッド１０１へのタッチが開始された位置と、当該タッチが終了した位置とに基づいて、移動量を検出する構成としてもよい。なお、本実施形態において、移動量検出部１０２が検出する「移動量」には、「移動方向」も含んでいるものとする。移動量検出部１０２は、検出した移動量を示す移動量データを生成する。生成された移動量データは、演算処理部１０５に供給される。
【００２２】
ジェスチャ検出部１０４は、タッチパッド１０１上におけるジェスチャを検出するための手段（ジェスチャ検出手段）である。本実施形態において、ジェスチャ検出部１０４は、タッチパッド１０１が操作指示体によるタッチを検知すると、当該タッチが継続している間のタッチの軌跡をジェスチャとして検出する。ジェスチャ検出部１０４は、検出したジェスチャを示すジェスチャデータを生成する。生成されたジェスチャデータは、動作モード切替部１０８に供給される。
【００２３】
演算処理部１０５は、移動量検出部１０２から供給される移動量データ、及びタッチ位置検出部１０３から供給されるタッチ位置データに基づいて、表示装置２００に対する操作指示を、通信部１０６を介して表示装置２００に送信する。本実施形態に係るリモコン１００は、上述のように２つの動作モードを有している。そのため、演算処理部１０５は、後述する動作モード切替部１０８から、動作モードの切り替えを示す切替指示を受信し、受信した切替指示に基づいて、動作モードを切り替える。また、演算処理部１０５が表示装置２００に送信する操作指示は、現在の動作モードに応じて異なるため、演算処理部１０５は、現在の動作モードに応じて、表示装置２００に対する操作指示を決定する。
【００２４】
通信部１０６は、演算処理部１０５から供給された操作指示を、表示装置２００に送信するための手段である。通信部１０６は、例えば、赤外線、Bluetooth（登録商標）及びその他の無線通信方式により、表示装置２００に操作指示を送信する。
【００２５】
記憶部１０７は、各種のデータを格納するための手段である。本実施形態において、記憶部１０７には、例えば、後述する動作モード切替部１０８が動作モードを切り替えるためのトリガとなるトリガ条件が格納されている。
【００２６】
動作モード切替部１０８は、第１の動作モードと、第２の動作モードとを切り替えるための切替手段である。本実施形態において、動作モード切替部１０８は、タッチ位置検出部１０３から供給されたタッチ位置データ、ジェスチャ検出部１０４から供給されたジェスチャデータ、及び後述する振動センサ１０９からの通知の何れかをトリガとしてリモコン１００の動作モードを切り替える。例えば、動作モード切替部１０８は、記憶部１０７に格納されているトリガ条件を参照して、タッチ位置データ、及びジェスチャデータがトリガ条件を満たしているか否かを判定し、トリガ条件を満たしていると判定した場合に、動作モードの切り替えを示す切替指示を演算処理部１０５に送信するように構成することができる。動作モード切替部１０８が行う切替処理の詳細については、参照する図面を代えて後述する。
【００２７】
振動センサ１０９は、リモコン１００の振動を検知するための振動センサであり、例えば、加速度センサを用いることにより実現可能である。本実施形態において、振動センサ１０９は、例えば、ユーザがリモコン１００を振ることにより、振動を検知すると、振動を検知した旨を動作モード切替部１０８に通知する。
【００２８】
（表示装置２００の構成）
続いて、リモコン１００の操作対象である表示装置２００の構成について説明する。図１に示すように、表示装置２００は、アンテナ２０１、チューナ部２０２、制御部２０３、表示部２０４、通信部２０６、及び記憶部２０７を備えている。
【００２９】
アンテナ２０１は、放送波を受信するための受信手段である。アンテナ２０１が受信した放送波は、チューナ部２０２に供給される。チューナ部２０２は、アンテナ２０１から供給された放送波から、画像信号を抽出する。チューナ部２０２により抽出された画像信号は、制御部２０３に供給される。
【００３０】
制御部２０３は、通信部２０６から供給される操作指示を実行するための手段である。また、制御部２０３は、記憶部２０７に格納されている１又は複数のプログラム（以下、「アプリケーション」とも記載）を実行し、当該プログラムを実行して得られる画像（以下では、「アプリケーション画像」、「アプリ画像」とも記載）を表示部２０４に供給する。また、制御部２０３は、チューナ部２０２から供給された画像信号に基づいて、ＴＶ画像を生成する。生成されたＴＶ画像は、表示部２０４に供給される。また、制御部２０３は、アプリ画像とＴＶ画像とを同時に表示する場合には、アプリ画像と、ＴＶ画像とをそれぞれ表示部２０４に供給することにより、多画面表示を行うことができる。
【００３１】
表示部２０４は、制御部２０３から供給された画像を表示する。通信部２０６は、リモコン１００の通信部１０６から送信された操作指示を受信する。通信部２０６は、受信した操作指示を制御部２０３に供給する。
【００３２】
記憶部２０７は、各種データを格納するための手段である。例えば、記憶部２０７には、制御部２０３が実行する１又は複数のプログラム、及び表示装置２００の設定データなどが格納されている。記憶部２０７に格納されている１又は複数のプログラムには、表示装置２００の動作を制御するためのプログラムであるＯＳ（Operating System）も含まれる。
【００３３】
なお、表示装置２００は、チューナ部２０２を備えない構成としてもよい。表示装置２００は、チューナ部２０２に代えて、もしくはチューナ部２０２と共に、外部信号受付部を備える構成としてもよい。ここで、外部信号受付部は、外部機器から供給される画像信号を受け付け、制御部２０３に供給するための構成である。このような構成においては、上述の「ＴＶ画像」は、放送波を受信して得られる画像であってもよいし、外部機器から供給される画像信号の示す画像であってもよい。
【００３４】
（リモコン１００の第１の動作モード）
続いて、リモコン１００の動作モードについて、図２を参照しながら説明する。図２は、リモコン１００によって操作された表示装置２００が表示する画面の遷移の一例を示す概要図である。
【００３５】
図２の（ａ）は、第１の動作モードによる操作が行われた場合に、表示装置２００が表示する画面の画面遷移の一例を示している。第１の動作モードは、タッチ位置検出部１０３により検出されたタッチ位置を示すタッチ位置データを参照した操作指示を行うモードである。以下では、第１の動作モードを「タッチモード」とも記載する。タッチモードにおいては、リモコン１００の備えるタッチパッド１０１のタッチ面上の座標と、表示装置２００の備える表示部２０４の表示面上の座標とが一対一に対応づけられている。
【００３６】
例えば、タッチモードにおいて、タッチパッド１０１が、タッチ面の中心部に対する操作指示体によるタッチを検知すると、演算処理部１０５は、表示面の中心部に表示されているオブジェクトに対するタッチに対応づけられた操作（例えば、オブジェクトの選択操作）を実行する旨の操作指示を表示装置２００に送信する。また、タッチパッド１０１が、タッチ面の中心部から、タッチ面の左端方向へのスライド操作を検知すると、演算処理部１０５は、左方向へのスライドに対応付けられた操作（例えば、表示画面をスライドさせる操作）を実行する旨の操作指示を表示装置２００に送信する。なお、図２の（ａ）に示す例において、リモコン１００は、タッチパッド１０１が操作指示体によるタッチを検知している間のみ、当該タッチのタッチ位置に対応する表示面の位置に、タッチを検知していることを示すマーク（例えば、サークル状のマークなど）を表示する指示を表示装置２００に送信する構成としてもよい。上記の構成によれば、当該タッチのタッチ位置が、表示面においてどの位置に対応しているかをユーザに認識させることができる。
【００３７】
図２の（ａ）に示す画面ａは、リモコン１００がタッチモードにて動作している場合に、表示装置２００が表示する表示画面の一例を示している。図２の（ａ）に示す例において、リモコン１００は、タッチモードにて動作しているため、表示画面には、ポインタ（例えば、マウスカーソルなど）は含まれていない。図２の（ａ）に示す例において、タッチパッド１０１が、ユーザによる「左方向へのスライド操作」を検知した場合、演算処理部１０５は、「左方向へのスライド操作」に対応付けられた操作指示を表示装置２００に送信する。当該操作指示を受信した表示装置２００は、制御部２０３により、当該操作指示を実行する。制御部２０３は、当該操作指示を実行することにより得られた画像を表示部２０４に供給する。本実施形態に係るリモコン１００のタッチモードにおいて、「左方向へのスライド操作」に対応付けられた操作指示は、表示画面を左側にスクロールさせる動作である。したがって、図２の（ａ）に示すように、リモコン１００から「左方向へのスライド操作」に対応付けられた操作指示を受信することにより、表示装置２００は、表示する画面を画面ａから画面ｂに遷移させる。図２の（ａ）に示すように、画面ａにおいて破線で囲まれたアイコン群は、画面がスクロールすることにより、画面ｂにおいては左方向に移動されていることがわかる。また、画面ａにおいて一点鎖線で囲まれたアイコン群は、画面ａがスクロールされたことにより、表示画面の範囲外に移動されたため、画面ｂにおいては表示されていない。また、画面ａがスクロールされたことにより、画面ｂにおいて二点鎖線で囲まれたアイコン群が新たに表示されている。
【００３８】
以上のように、リモコン１００のタッチモードにおいて、ユーザは、タッチパッド１０１へタッチ入力することにより、表示面に備えられたタッチパネルを操作しているかのように表示装置２００を動作させることができる。
【００３９】
（リモコン１００の第２の動作モード）
一方、図２の（ｂ）は、第２の動作モードによる操作が行われた場合に、表示装置２００が表示する画面の画面遷移の一例を示している。第２の動作モードは、移動量検出部１０２により検出された移動量に基づいて、表示装置２００が表示する表示画像上のポインタを移動させる旨の指示を行う動作モードである。以下では、第２の動作モードを「マウスモード」とも記載する。マウスモードにおいては、タッチモードとは異なり、リモコン１００の備えるタッチパッド１０１のタッチ面上の座標と、表示装置２００の備える表示部２０４の表示面上の座標とが一対一に対応づけられていない。図２の（ｂ）に示すように、マウスモードにおいては、画面上にポインタＰが表示されており、リモコン１００は、移動量検出部１０２により検出された移動量を示す移動量データに基づいて、ポインタＰを移動させる旨の指示を行う。
【００４０】
例えば、マウスモードにおいて、タッチパッド１０１が、タッチ面に対する操作指示体によるタッチを検知すると、演算処理部１０５は、表示面においてポインタＰが表示されている位置に存在するオブジェクトに対して、当該タッチに対応づけられた操作（例えば、マウスによるクリックに対応する操作）を実行する旨の操作指示を表示装置２００に送信する。すなわち、マウスモードにおいては、タッチモードと異なり、リモコン１００は、タッチパッド１０１が検知したタッチのタッチ位置に関わらず、ポインタＰが表示されている位置をマウスでクリックしたかのように動作する。
【００４１】
また、例えば、タッチパッド１０１が、タッチ面の任意の位置から、タッチ面の左端方向へのスライド操作を検知すると、移動量検出部１０２は、当該スライド操作における、操作指示体の移動量を検出する。演算処理部１０５は、移動量検出部１０２により検出された移動量を示す移動量データに基づき、ポインタＰを移動させる旨の操作指示を表示装置２００に送信する。
【００４２】
図２の（ｂ）に示す画面ｃは、リモコン１００がマウスモードにて動作している場合に、表示装置２００が表示する表示画面の一例を示している。図２の（ｂ）に示す例において、リモコン１００は、マウスモードにて動作しているため、表示画面には、ポインタＰが表示されている。図２の（ｂ）に示す例において、タッチパッド１０１が、ユーザによる「左方向へのスライド操作」を検知した場合、移動量検出部１０２は、当該スライド操作における、操作指示体の移動量を検出する。演算処理部１０５は、移動量検出部１０２により検出された移動量を示す移動量データに基づき、ポインタＰを移動させる旨の操作指示を表示装置２００に送信する。当該操作指示を受信した表示装置２００は、制御部２０３により、当該操作指示を実行する。制御部２０３は、当該操作指示を実行することにより得られた画像を表示部２０４に供給する。したがって、図２の（ｂ）に示すように、リモコン１００から「左方向へのスライド操作」に対応付けられた操作指示を受信することにより、表示装置２００は、表示する画面を画面ｃから画面ｄに遷移させる。図２の（ｂ）に示すように、画面ｃにおいて表示されているポインタＰは、画面ｄにおいて左方向に移動していることがわかる。
【００４３】
以上のように、リモコン１００のマウスモードにおいて、ユーザは、リモコン１００のタッチパッド１０１へタッチ入力することにより、マウスを用いてポインタを操作しているかのように動作をさせることができる。
【００４４】
本実施形態に係るリモコン１００は、上述のタッチモード及びマウスモードの２つの動作モードを有している。ユーザは、動作モードを切り替えながら操作入力を行うことができるので、本実施形態に係るリモコン１００によれば、ユーザの操作性を向上させることができる。
【００４５】
（動作モードの切り替え手順）
続いて、本実施形態に係るリモコン１００における、動作モードの切り替え手順について、図３を参照しながら説明する。図３は、リモコン１００における、動作モードを切り替えるトリガの一例について説明するための概念図である。図３の（ａ）は、タッチパッド上の予め定められた第１の領域へのタッチを検出することをトリガとする場合を示しており、図３の（ｂ）は、予め定められたジェスチャを検出することをトリガとする場合を示しており、図３の（ｃ）は、予め定められたジェスチャの他の一例を示している。
【００４６】
図３の（ａ）に示す例において、リモコン１００は、タッチパッド１０１上に領域Ｒ１（予め定められた第１の領域）が予め設定されており、操作指示体による領域Ｒ１へのタッチを検出することにより、リモコン１００の動作モードを切り替える。図３の（ａ）に示す例において、記憶部１０７には、領域Ｒ１に対応する座標値がトリガ条件として格納されている。
【００４７】
タッチパッド１０１が操作指示体によるタッチを検知すると、タッチ位置検出部１０３は、当該タッチのタッチ位置データを動作モード切替部１０８に供給する。動作モード切替部１０８は、タッチ位置検出部１０３から供給されたタッチ位置データの示すタッチ位置が、記憶部１０７に格納されているトリガ条件を満たしているか否か、すなわち当該タッチ位置が領域Ｒ１に含まれているか否かを判定する。当該タッチ位置が領域Ｒ１に含まれていると判定された場合、動作モード切替部１０８は、動作モードの切り替えを示す切替指示を演算処理部１０５に送信する。なお、図３の（ａ）に示す例において、リモコン１００は、領域Ｒ１へのタップ操作を検出することにより動作モードを切り替える、構成とすることが好ましい。なぜなら、例えば、スライド操作中に操作指示体が領域Ｒ１を通過した場合、当該スライド操作は、ユーザが動作モードの切り替えを意図していない可能性が高いと考えられるためである。
【００４８】
また、図３の（ｂ）及び（ｃ）に示す例において、リモコン１００は、予め定められたジェスチャを検出することにより、リモコン１００の動作モードを切り替える。したがって、図３の（ｂ）及び（ｃ）に示す例において、記憶部１０７には、予め定められたジェスチャがトリガ条件として格納されている。記憶部１０７に格納されている予め定められたジェスチャとしては、例えば、図３の（ｂ）に示すようなＳ１を始点とし、Ｅ１を終点とする破線であってもよいし、図３の（ｃ）に示すようなＳ２を始点とし、Ｅ２を終点とする破線であってもよい。また、予め定められたジェスチャを、ユーザからの操作入力に基づいて変更する構成としてもよい。
【００４９】
タッチパッド１０１が操作指示体によるタッチを検知すると、ジェスチャ検出部１０４は、当該タッチが継続している間のタッチの軌跡をジェスチャとして検出し、当該ジェスチャを示すジェスチャデータを、動作モード切替部１０８に供給する。動作モード切替部１０８は、ジェスチャ検出部１０４から供給されたジェスチャデータの示すジェスチャが、記憶部１０７に格納されているトリガ条件を満たしているか否か、すなわち当該ジェスチャが予め定められたジェスチャであるか否かを判定する。予め定められたジェスチャであると判定された場合、動作モード切替部１０８は、動作モードの切り替えを示す切替指示を演算処理部１０５に送信する。
【００５０】
また、リモコン１００は、振動センサ１０９が振動を検知したことをトリガとして、動作モードを切り替える構成としてもよい。すなわち、振動センサ１０９が振動を検知すると、振動センサ１０９は、振動を検知した旨を動作モード切替部１０８に通知する。動作モード切替部１０８は、振動センサ１０９から当該通知を受け取ると、動作モードの切り替えを示す切替指示を演算処理部１０５に送信する。したがって、ユーザは、リモコン１００を振る操作をすることにより、動作モードを切り替えることができる。なお、振動センサ１０９が検知した振動が、ユーザの意図による振動か否かを判定する振動判定手段をさらに備える構成としてもよい。例えば、振動センサ１０９が検知した振動が、所定の時間以上継続する場合には、ユーザの意図による振動ではないと判定する構成としてもよい。また、リモコン１００の筐体に接触センサをさらに備え、接触センサにより、ユーザがリモコン１００を把持していることを検知されている状態で、振動センサ１０９が振動を検知した場合に、ユーザの意図による振動であると判定する構成としてもよい。
【００５１】
本実施形態において、動作モード切替部１０８が送信する切替指示は、単に現在の動作モードとは異なる動作モードに切り替えることを指示するものであってもよいし、リモコン１００の現在の動作モードに応じて、切り替える動作モードを明示的に指示するものであってもよい。例えば、現在の動作モードがタッチモードである場合には、マウスモードへ切り替えることを指示するものであればよい。
【００５２】
（リモコン１００の動作モードの切り替え手順）
続いて、リモコン１００の動作モードの切り替え手順の一例について、図４を参照して説明する。図４は、リモコン１００における動作モードの切り替え手順の一例について説明するためのフローチャートである。
【００５３】
まず、動作モード切替部１０８は、振動センサ１０９から振動を検知した旨の通知を受信すると（Ｓ１０１にてＹＥＳ）、Ｓ１０５の処理に進める。振動センサ１０９から振動を検知した旨の通知を受信していなければ（Ｓ１０１にてＮＯ）、動作モード切替部１０８は、Ｓ１０２の処理に進む。
【００５４】
Ｓ１０２にてタッチパッド１０１が操作指示体によるタッチを検知すると、タッチ位置検出部１０３は、当該タッチのタッチ位置データを動作モード切替部１０８に供給し、動作モード切替部１０８は、Ｓ１０３の処理に進む。タッチ位置検出部１０３により検出されたタッチ位置が、領域Ｒ１に含まれる位置であった場合（Ｓ１０３にてＹＥＳ）、動作モード切替部１０８は、Ｓ１０５の処理に進む。タッチ位置検出部１０３により検出されたタッチ位置が、領域Ｒ１に含まれる位置でない場合（Ｓ１０３にてＮＯ）、動作モード切替部１０８は、Ｓ１０４の処理に進む。
【００５５】
動作モード切替部１０８は、ジェスチャ検出部１０４から供給されたジェスチャデータの示すジェスチャが、予め定められたジェスチャであると判定すると（Ｓ１０４にてＹＥＳ）、Ｓ１０５の処理に進む。動作モード切替部１０８は、ジェスチャ検出部１０４から供給されたジェスチャデータの示すジェスチャが、予め定められたジェスチャでないと判定した場合、または、ジェスチャ検出部１０４がジェスチャを検出していない場合（Ｓ１０４にてＮＯ）、処理を終了する。
【００５６】
Ｓ１０５にて、動作モード切替部１０８は、現在の動作モードがタッチモードでない場合（Ｓ１０５にてＮＯ）、動作モードをタッチモードに切り替える操作指示を演算処理部１０５に送信し（Ｓ１０６）、処理を終了する。また、動作モード切替部１０８は、現在の動作モードがタッチモードである場合（Ｓ１０５にてＹＥＳ）、動作モードをマウスモードに切り替える操作指示を演算処理部１０５に送信し（Ｓ１０７）、処理を終了する。
【００５７】
なお、図４に示すフローチャートにおいて、Ｓ１０３の処理とＳ１０４の処理とを入れ替えることも可能である。また、Ｓ１０２〜Ｓ１０４の処理を行っている最中に、振動センサ１０９が振動を検知した場合には、動作モード切替部１０８は、現在の処理を中断し、Ｓ１０５の処理に進むように構成してもよい。
【００５８】
以上の手順により、本実施形態に係るリモコン１００は、タッチ位置検出部１０３から供給されたタッチ位置データ、ジェスチャ検出部１０４から供給されたジェスチャデータ、及び振動センサ１０９からの通知の何れかをトリガとしてリモコン１００の動作モードを切り替えることができる。
【００５９】
〔実施形態２〕
本発明の第２の実施形態について、図５、及び図６に基づいて説明すれば、以下のとおりである。なお、説明の便宜上、前記実施形態にて説明した部材と同じ機能を有する部材については、同じ符号を付記し、その説明を省略する。図５は、リモコン１００における、動作モードを切り替えるトリガの他の一例について説明するための概念図である。（ａ）は、１点タッチによる操作入力を示し、（ｂ）は、２点タッチによる操作入力を示している。
【００６０】
本実施形態に係るリモコン１００は、第１の実施形態に係るリモコン１００と同様の構成である。本実施形態において、動作モード切替部１０８は、さらに、一時的に動作モードを切り替えることが可能であるという点において、前記実施形態と異なっている。
【００６１】
本実施形態に係るリモコン１００において、タッチパッド１０１が、図５の（ａ）に示すような１点タッチによる操作入力を検知した場合には、動作モード切替部１０８は、動作モードを切り替える切替指示を演算処理部１０５に送信しない。一方で、タッチパッド１０１が、図５の（ｂ）に示すような２点タッチによる操作入力を検知した場合には、動作モード切替部１０８は、動作モードを切り替える切替指示を演算処理部１０５に送信し、タッチ位置検出部１０３が当該２点タッチの検出を終了した場合に、動作モード切替部１０８は、動作モードを切り替える切替指示を演算処理部１０５に再度送信する。したがって、本実施形態に係るリモコン１００は、２点タッチによる操作入力が継続している間は、現在の動作モードと異なる動作モードとして動作することが可能である。
【００６２】
なお、図５の（ｂ）においては、ユーザの２本の指による２点タッチの場合について説明しているが、例えば、２本のスタイラスペンによる２点タッチでもよいし、ユーザの指と、スタイラスペンとによる２点タッチでもよい。
【００６３】
（動作モードの一時的な切り替え）
続いて、本実施形態に係るリモコン１００の動作モードの切り替え手順の一例について、図６を参照して説明する。図６は、リモコン１００において、図５の（ｂ）に示すような２点タッチによる操作入力をトリガとする場合の動作モードの切り替え手順の一例について説明するためのフローチャートである。
【００６４】
まず、タッチパッド１０１が２点タッチを検知すると、タッチ位置検出部１０３は、２点タッチを検出した旨を動作モード切替部１０８に通知する（Ｓ２０１）。続いて、動作モード切替部１０８は、現在の動作モードがタッチモードでない場合（Ｓ２０２にてＮＯ）、動作モードをタッチモードに切り替える操作指示を演算処理部１０５に送信し（Ｓ２０３）、Ｓ２０４に処理を進める。また、動作モード切替部１０８は、現在の動作モードがタッチモードである場合（Ｓ２０２にてＹＥＳ）、動作モードをマウスモードに切り替える操作指示を演算処理部１０５に送信し（Ｓ２０６）、Ｓ２０７に処理を進める。
【００６５】
Ｓ２０４にて、タッチパッド１０１が２点タッチの検知を終了すると、タッチ位置検出部１０３は、２点タッチの検出が終了した旨を動作モード切替部１０８に通知する。当該通知を受け取った動作モード切替部１０８は、動作モードをマウスモードに切り替える操作指示を演算処理部１０５に送信し（Ｓ２０５）、処理を終了する。
【００６６】
また、Ｓ２０７にて、タッチパッド１０１が２点タッチの検知を終了すると、タッチ位置検出部１０３は、２点タッチの検出が終了した旨を動作モード切替部１０８に通知する。当該通知を受け取った動作モード切替部１０８は、動作モードをタッチモードに切り替える操作指示を演算処理部１０５に送信し（Ｓ２０８）、処理を終了する。
【００６７】
以上の手順により、本実施形態に係るリモコン１００は、２点タッチによる操作入力が継続している間は、現在の動作モードと異なる動作モードとして動作する、すなわち、動作モードを一時的に切り替えることができる。
【００６８】
〔実施形態３〕
本発明の第３の実施形態について、図７、及び図８に基づいて説明すれば、以下のとおりである。なお、説明の便宜上、前記実施形態にて説明した部材と同じ機能を有する部材については、同じ符号を付記し、その説明を省略する。図７は、表示装置２００がアプリケーションを実行して表示する表示画面の遷移について説明するための概要図である。図７の（ａ）は、表示装置２００が表示する表示画面の遷移を示し、図７の（ｂ）は、リモコン１００が、図７の（ａ）に示す画面遷移を指示するために受け付ける操作入力の一例を示している。
【００６９】
本実施形態に係るリモコン１００は、前記実施形態に係るリモコン１００と同様の構成である。本実施形態において、動作モード切替部１０８は、さらに、表示装置２００が実行するアプリケーションに応じてリモコン１００の動作モードを切り替えることが可能であるという点において、前記実施形態と異なっている。
【００７０】
例えば図７の（ａ）に示すように、表示装置２００が地図を表示するアプリケーションを実行している場合には、リモコン１００の動作モードは、タッチモードであることが好ましい。なぜなら、上記の場合には、表示装置２００が表示する地図画像を拡大または縮小する操作、及び地図画像をスクロールさせる操作が行われることが多いと考えられるためである。例えば、図７の（ｂ）に示すようなピンチアウト操作（２本の指をタッチパッド１０１にタッチさせた状態で、２本の指を離れるようにスライドさせる操作）により、表示装置２００が表示する画面は、図７の（ａ）に示す画面ａから図７の（ａ）に示す画面ｂに遷移する。一方で、ピンチイン操作（２本の指をタッチパッド１０１にタッチさせた状態で、２本の指を近づけるようにスライドさせる操作、不図示）により表示装置２００が表示する画面は、図７の（ａ）に示す画面ｂから図７の（ａ）に示す画面ａに遷移する。したがって、表示装置２００が地図を表示するアプリケーションを実行している場合には、タッチモードが最適な動作モードである。以上のように、表示装置２００が実行するアプリケーションの各々には、最適な動作モードが存在している。
【００７１】
本実施形態に係るリモコン１００において、記憶部１０７には、表示装置２００が実行可能なアプリケーションを示すアプリ情報Ａ１と、該アプリケーションに関連付けられた（設定された）動作モードを示すモード情報Ａ２とが格納されている。また、本実施形態に係るリモコン１００は、表示装置２００のアプリケーションが起動及び終了されたことを検出する検出する検出手段（不図示）をさらに備える構成としてもよい。検出手段の一例としては、表示装置２００のアプリケーションが起動及び終了された旨を示す通知を、表示装置２００から受け取るように構成することが挙げられる。
【００７２】
リモコン１００が、表示装置２００のアプリケーションが起動されたことを検出すると、動作モード切替部１０８は、記憶部１０７を参照して、当該アプリケーションに設定されている動作モードを特定する。動作モード切替部１０８は、特定した動作モードと、現在の動作モードとに応じて、動作モードの切り替えを指示する切替指示を演算処理部１０５に送信する。また、リモコン１００が、表示装置２００のアプリケーションが終了されたことを検出すると、動作モード切替部１０８は、当該アプリケーションが起動される直前に設定されていた動作モードに戻すように、切替指示を演算処理部１０５に送信する。したがって、本実施形態に係るリモコン１００は、表示装置２００が実行するアプリケーションに応じて、リモコン１００の動作モードを、当該アプリケーションに最適な動作モードに切り替えることができる。
【００７３】
なお、本実施形態において、リモコン１００は、アプリケーションの起動時に動作モードを切り替える構成としているが、当該アプリケーションを実行している間においては、前記実施形態と同様の手順により、動作モードをさらに切り替えることが可能である。また、記憶部１０７に格納されているアプリ情報Ａ１と、モード情報Ａ２とをユーザが変更することが可能なように構成してもよい。
【００７４】
（アプリケーションに応じた動作モードの切り替え）
続いて、本実施形態に係るリモコン１００の動作モードの切り替え手順の一例について、図８を参照して説明する。図８は、リモコン１００において、図１に示す表示装置が実行するアプリケーションに応じて、動作モードを切り替える手順の一例について説明するためのフローチャートである。
【００７５】
まず、リモコン１００が、表示装置２００のアプリケーションが起動されたことを検出すると（Ｓ３０１）、動作モード切替部１０８は、記憶部１０７を参照して、当該アプリケーションに設定されている動作モードがマウスモードであるか否かを判定する（Ｓ３０２）。
【００７６】
当該アプリケーションに設定されている動作モードがマウスモードでない場合、すなわち、当該アプリケーションに設定されている動作モードがタッチモードである場合（Ｓ３０２にてＮＯ）、現在の動作モードがマウスモードであるか否かを判定する（Ｓ３０３）。現在の動作モードがマウスモードである場合（Ｓ３０３にてＹＥＳ）、動作モード切替部１０８は、タッチモードに切り替える指示を示す操作指示を演算処理部１０５に送信する（Ｓ３０４）。その後、リモコン１００が、表示装置２００のアプリケーションが終了されたことを検出すると（Ｓ３０５）、動作モード切替部１０８は、マウスモードに切り替える指示を示す操作指示を演算処理部１０５に送信し（Ｓ３０６）、処理を終了する。また、Ｓ３０３にて、現在の動作モードがマウスモードでない場合、すなわち、現在の動作モードがタッチモードである場合（Ｓ３０３にてＮＯ）、動作モード切替部１０８は、動作モードを切り替える操作指示を演算処理部１０５に送信せずに、Ｓ３０７の処理に進む。その後、リモコン１００が、表示装置２００のアプリケーションが終了されたことを検出すると（Ｓ３０７）、動作モード切替部１０８は、処理を終了する。
【００７７】
また、Ｓ３０２にて、当該アプリケーションに設定されている動作モードがマウスモードである場合（Ｓ３０２にてＹＥＳ）、現在の動作モードがマウスモードであるか否かを判定する（Ｓ３０８）。現在の動作モードがマウスモードである場合（Ｓ３０８にてＹＥＳ）、動作モード切替部１０８は、動作モードを切り替える操作指示を演算処理部１０５に送信せずに、Ｓ３０７の処理に進む。また、Ｓ３０８にて、現在の動作モードがマウスモードでない場合、すなわち、現在の動作モードがタッチモードである場合（Ｓ３０８にてＮＯ）、動作モード切替部１０８は、マウスモードに切り替える指示を示す操作指示を演算処理部１０５に送信する（Ｓ３０９）。その後、リモコン１００が、表示装置２００のアプリケーションが終了されたことを検出すると（Ｓ３１０）、動作モード切替部１０８は、タッチモードに切り替える指示を示す操作指示を演算処理部１０５に送信し（Ｓ３１１）、処理を終了する。
【００７８】
以上の手順により、本実施形態に係るリモコン１００は、表示装置２００が実行するアプリケーションに応じて、リモコン１００の動作モードを、当該アプリケーションに最適な動作モードに切り替えることができる。
【００７９】
〔実施形態４〕
本発明の第４の実施形態について、説明すれば、以下のとおりである。なお、説明の便宜上、前記実施形態にて説明した部材と同じ機能を有する部材については、同じ符号を付記し、その説明を省略する。
【００８０】
本実施形態に係るリモコン１００は、前記実施形態に係るリモコン１００と同様の構成に加え、リモコン１００のユーザを特定するユーザ特定手段（不図示）をさらに備えており、動作モード切替部１０８は、さらに、ユーザ特定手段が特定したユーザに応じてリモコン１００の動作モードを切り替えることが可能であるという点において、前記実施形態と異なっている。
【００８１】
本実施形態に係るリモコン１００において、記憶部１０７には、リモコン１００のユーザを示すユーザ情報Ｕ１と、該ユーザに関連付けられた（設定された）動作モードを示すモード情報Ｕ２とが格納されている。ユーザ特定手段は、例えば、リモコン１００が表示装置２００の起動を検出すると、リモコン１００、または表示装置２００に備えられたカメラ（撮像手段）によりリモコン１００のユーザを撮像し、撮像した画像と、記憶部１０７に予め登録されているユーザの画像とを比較することによりリモコン１００のユーザを特定する構成とすればよい。また、本実施形態に係るリモコン１００は、１又は複数のユーザをリモコン１００のユーザとして登録するユーザ登録部（不図示）をさらに備える構成としてもよい。上記の場合、ユーザ登録部は、登録されたユーザのユーザ情報Ｕ１と、該ユーザに関連付けられたモード情報Ｕ２とを記憶部１０７に格納するように構成される。
【００８２】
リモコン１００が、表示装置２００の起動を検出すると、ユーザ特定手段は、リモコン１００のユーザを特定する。動作モード切替部１０８は、ユーザ特定手段により特定されたユーザと、現在の動作モードとに応じて、動作モードの切り替えを指示する切替指示を演算処理部１０５に送信する。また、ユーザ特定手段によりリモコン１００のユーザが特定できなかった場合（例えば、未登録のユーザである場合など）、動作モード切替部１０８は、動作モードを切り替える操作指示を演算処理部１０５に送信しない。すなわち、リモコン１００は、初期設定されている動作モードにて動作する。
【００８３】
したがって、本実施形態に係るリモコン１００は、リモコン１００のユーザに応じて、リモコン１００の動作モードを、ユーザの所望する動作モードに切り替えることができる。また、記憶部１０７に格納されているユーザ情報Ｕ１と、モード情報Ｕ２とをユーザが変更することが可能なように構成してもよい。さらに、リモコン１００のユーザの履歴情報を参照して、該ユーザがタッチモード及びマウスモードの何れを多く使用しているかを判定し、判定結果に基づいて該ユーザに関連付けられたモード情報Ｕ２を更新する構成としてもよい。
【００８４】
（リモコン１００のユーザに応じた動作モードの切り替え）
続いて、本実施形態に係るリモコン１００の動作モードの切り替え手順の一例について、図９を参照して説明する。図９は、リモコン１００において、リモコン１００のユーザを特定し、特定されたユーザに応じて動作モードを切り替える手順の一例について説明するためのフローチャートである。
【００８５】
まず、リモコン１００が表示装置２００の起動を検出すると（Ｓ４０１）、ユーザ特定手段は、リモコン１００のユーザを特定する。ユーザ特定手段により、リモコン１００のユーザが特定できない場合、またはユーザ特定手段により特定されたユーザが登録されていないユーザである場合（Ｓ４０２にてＮＯ）、動作モード切替部１０８は、処理を終了する。上記の場合、リモコン１００は、初期設定されている動作モードにて動作する。
【００８６】
また、ユーザ特定手段により特定されたユーザが登録されているユーザである場合（Ｓ４０２にてＹＥＳ）、動作モード切替部１０８は、記憶部１０７を参照して、当該ユーザに設定されている動作モードがマウスモードであるか否かを判定する（Ｓ４０３）。当該ユーザに設定されている動作モードがマウスモードでない場合、すなわち、当該ユーザに設定されている動作モードがタッチモードである場合（Ｓ４０３にてＮＯ）、動作モード切替部１０８は、現在の動作モードがタッチモードであるか否かを判定する（Ｓ４０４）。現在の動作モードがタッチモードである場合（Ｓ４０４にてＹＥＳ）、動作モード切替部１０８は、動作モードを切り替える操作指示を演算処理部１０５に送信せずに、処理を終了する。また、Ｓ４０４にて、現在の動作モードがタッチモードでない場合、すなわち、現在の動作モードがマウスモードである場合（Ｓ４０４にてＮＯ）、動作モード切替部１０８は、動作モードをマウスモードに切り替える操作指示を演算処理部１０５に送信し（Ｓ４０５）、処理を終了する。
【００８７】
また、Ｓ４０３にて、当該ユーザに設定されている動作モードがマウスモードである場合（Ｓ４０３にてＹＥＳ）、動作モード切替部１０８は、現在の動作モードがタッチモードであるか否かを判定する（Ｓ４０６）。現在の動作モードがタッチモードである場合（Ｓ４０６にてＹＥＳ）、動作モード切替部１０８は、動作モードをマウスモードに切り替える操作指示を演算処理部１０５に送信し（Ｓ４０７）、処理を終了する。また、Ｓ４０６にて、現在の動作モードがタッチモードでない場合、すなわち、現在の動作モードがマウスモードである場合（Ｓ４０６にてＮＯ）、動作モード切替部１０８は、動作モードを切り替える操作指示を演算処理部１０５に送信せずに、処理を終了する。
【００８８】
以上の手順により、本実施形態に係るリモコン１００は、リモコン１００のユーザに応じて、リモコン１００の動作モードを、ユーザの所望する動作モードに切り替えることができる。
【００８９】
〔付記事項１〕
上述の各実施形態（実施形態１〜４）において、リモコン１００の動作モードがタッチモードから、マウスモードに切り替わると、表示装置２００は、表示画面上にポインタＰを表示する（図２の（ｂ）を参照）。上記の場合、ポインタＰを表示する位置は、タッチ位置検出部１０３が、最後に検出したタッチ位置に対応する表示面上の位置に表示することが好ましい。ポインタＰを表示する位置の具体例について、図１０を参照して説明する。図１０は、リモコン１００において、タッチモードからマウスモードに切り替える際に、表示装置２００が表示する画面の遷移の一例について説明するための遷移図である。
【００９０】
図１０の画面ａにおいて、タッチ位置検出部１０３が検出したタッチの開始位置に対応する表示面の座標（Ａ、Ｂ）の示す位置に、操作指示体によるタッチを検知していることを示すサークル状のマークが表示されている。表示装置２００が、図１０の画面ａを表示している状態で、リモコン１００が操作指示体の移動を検出すると、例えば、表示画面は、画面ｂに遷移する。図１０の画面ｂにおいては、タッチ位置検出部１０３が検出したタッチの終了位置に対応する表示面の座標（Ｃ、Ｂ）の示す位置に、操作指示体によるタッチを検知していることを示すサークル状のマークが表示されている。表示装置２００が図１０の画面ｂを表示している場合において、タッチパッド１０１が操作指示体によるタッチの終了を検知すると、図１０の画面ｂにおけるサークル状のマークの表示は解除される。上記の場合、タッチ位置検出部１０３が最後に検出したタッチ位置に対応する表示面上の位置は、座標（Ｃ、Ｂ）の示す位置である。したがって、上記の場合において、リモコン１００の動作モードが、上述の何れかの手順によりマウスモードに切り替えられると、表示装置２００は、表示面の座標（Ｃ、Ｂ）の示す位置にポインタＰを表示する。すなわち、表示装置２００が表示する表示画面は、画面ｃに遷移する。
【００９１】
例えば、表示装置２００が、ユーザの視界の範囲を越えるような大画面の表示部を備えているような場合においては、ユーザは、表示されたポインタＰを見失ってしまう場合が発生し得る。しかしながら、上記の構成を採用することにより、ユーザがポインタＰを見失ってしまう可能性を低減することができるとともに、ユーザに与える違和感を抑制することができる。
【００９２】
〔実施形態５〕
本発明の第５の実施形態について、図１１、及び図１２に基づいて説明すれば、以下のとおりである。なお、説明の便宜上、前記実施形態にて説明した部材と同じ機能を有する部材については、同じ符号を付記し、その説明を省略する。図１１は、リモコン１００のタッチ位置検出部１０３が検出したタッチ位置に応じて動作モードを一時的にマウスモードに切り替える場合において、動作モードを切り替えるトリガの一例を説明するための概念図である。図１１の（ａ）は、タッチパッド１０１上のタッチ位置に対応する表示面の位置が、２画面表示のうちのＴＶ画像を表示するための領域であることをトリガとする場合を示し、図１１の（ｂ）は、タッチパッド１０１上のタッチ位置に対応する表示面の位置が、表示面の周縁部であることをトリガとする場合を示し、図１１の（ｃ）は、タッチ位置が、タッチパッド１０１上の予め定められた領域であることをトリガとする場合を示している。
【００９３】
本実施形態に係るリモコン１００は、前記実施形態に係るリモコン１００と同様の構成である。本実施形態において、動作モード切替部１０８は、さらに、タッチ位置検出部１０３が検出したタッチ位置に応じて動作モードを一時的にマウスモードに切り替えることが可能であるという点において、前記実施形態と異なっている。
【００９４】
本実施形態に係るリモコン１００において、タッチパッド１０１が操作指示体によるタッチを検知すると、タッチ位置検出部１０３は、当該タッチのタッチ位置データを動作モード切替部１０８に供給する。動作モード切替部１０８は、タッチ位置データが示すタッチ位置に対応する表示面上の位置が、予め定められた領域（第１の表示領域）である場合、または、タッチパッド１０１上の予め定められた第２の領域に含まれる場合に、動作モードの切り替えを指示する操作指示を演算処理部１０５に送信する。
【００９５】
図１１の（ａ）に示す例において、表示装置２００は、ＴＶ画像と、アプリケーション画像とを２画面表示している。本実施形態に係るリモコン１００は、図１１の（ａ）においてＴＶ画像を表示している領域が第１の表示領域として設定されている。また、図１１の（ｂ）に示す例において、表示装置２００は、アプリケーション画像を表示している。本実施形態に係るリモコン１００は、図１１の（ｂ）においてアプリケーション画像を表示している領域の周縁部が第１の表示領域として設定されている。したがって、本実施形態において、記憶部１０７には、第１の表示領域に対応するタッチパッド１０１上の位置を示す位置データが、トリガ条件として格納されている。
【００９６】
図１１の（ａ）、及び（ｂ）に示す例において、タッチパッド１０１が、操作指示体によるタッチを検知すると、タッチ位置検出部１０３は、当該タッチのタッチ位置データを動作モード切替部１０８に供給する。動作モード切替部１０８は、タッチ位置検出部１０３から供給されたタッチ位置データが示す位置が、第１の表示領域に対応する位置であるか否かを判定する。動作モード切替部１０８は、タッチ位置データが示す位置が、第１の表示領域に対応する位置であると判定した場合であって、現在の動作モードがタッチモードである場合に、動作モードをマウスモードに切り替える切替指示を演算処理部１０５に送信する。また、タッチパッド１０１が当該タッチの終了を検知した場合には、動作モード切替部１０８は、リモコン１００の動作モードをタッチモードに切り替える切替指示を演算処理部１０５に送信する。
【００９７】
また、図１１の（ｃ）に示す例において、リモコン１００は、タッチパッド１０１上の領域Ｒ２が予め定められた第２の領域として設定されている。したがって、本実施形態において、記憶部１０７には、領域Ｒ２に対応する座標値がトリガ条件として格納されている。
【００９８】
タッチパッド１０１が操作指示体によるタッチを検知すると、タッチ位置検出部１０３は、当該タッチのタッチ位置データを動作モード切替部１０８に供給する。動作モード切替部１０８は、タッチ位置検出部１０３から供給されたタッチ位置データの示すタッチ位置が、記憶部１０７に格納されているトリガ条件を満たしているか否か、すなわち当該タッチ位置が領域Ｒ２に含まれているか否かを判定する。当該タッチ位置が領域Ｒ１に含まれていると判定された場合であって、現在の動作モードがタッチモードである場合に、動作モード切替部１０８は、リモコン１００の動作モードをマウスモードに切り替える切替指示を演算処理部１０５に送信する。また、タッチパッド１０１が当該タッチの終了を検知した場合には、動作モード切替部１０８は、リモコン１００の動作モードをタッチモードに切り替える切替指示を演算処理部１０５に送信する。
【００９９】
したがって、本実施形態に係るリモコン１００は、タッチ位置検出部１０３が検出したタッチ位置に応じて動作モードを一時的にマウスモードに切り替えることができる。
【０１００】
（検出したタッチ位置に応じた動作モードの切り替え）
続いて、本実施形態に係るリモコン１００の動作モードの切り替え手順の一例について、図１２を参照して説明する。図１２は、リモコン１００において、図１１に示すトリガにより、動作モードを切り替える手順の一例について説明するためのフローチャートである。
【０１０１】
まず、タッチパッド１０１が操作指示体によるタッチを検知すると、タッチ位置検出部１０３は、当該タッチのタッチ位置データを動作モード切替部１０８に供給する（Ｓ５０１）。動作モード切替部１０８は、当該タッチのタッチ位置が領域Ｒ２に含まれているか否かを判定する（Ｓ５０２）。
【０１０２】
当該タッチのタッチ位置が領域Ｒ２に含まれている場合（Ｓ５０２にてＹＥＳ）、動作モード切替部１０８は、Ｓ５０４の処理に進む。当該タッチのタッチ位置が領域Ｒ２に含まれていない場合（Ｓ５０２にてＮＯ）、動作モード切替部１０８は、当該タッチのタッチ位置データが示す位置が、第１の表示領域に対応する位置であるか否かを判定する（Ｓ５０３）。当該タッチのタッチ位置データが示す位置が、第１の表示領域に対応する位置である場合（Ｓ５０３にてＹＥＳ）、動作モード切替部１０８は、Ｓ５０４の処理に進む。当該タッチのタッチ位置データが示す位置が、第１の表示領域に対応する位置でない場合（Ｓ５０３にてＮＯ）、動作モード切替部１０８は、動作モードを切り替える操作指示を演算処理部１０５に送信せずに、処理を終了する。
【０１０３】
Ｓ５０４にて、動作モード切替部１０８は、現在の動作モードがタッチモードであるか否かを判定する（Ｓ５０４）。現在の動作モードがタッチモードでない場合、すなわち、現在の動作モードがマウスモードである場合（Ｓ５０４にてＮＯ）、動作モード切替部１０８は、動作モードを切り替える操作指示を演算処理部１０５に送信せずに、処理を終了する。
【０１０４】
また、Ｓ５０４にて現在の動作モードがタッチモードである場合（Ｓ５０４にてＹＥＳ）、動作モード切替部１０８は、リモコン１００の動作モードをマウスモードに切り替える操作指示を演算処理部１０５に送信する（Ｓ５０５）。その後、タッチパッド１０１が、当該タッチの終了を検知すると（Ｓ５０６）、動作モード切替部１０８は、リモコン１００の動作モードをタッチモードに切り替える操作指示を演算処理部１０５に送信し（Ｓ５０５）、処理を終了する。
【０１０５】
以上の手順により、本実施形態に係るリモコン１００は、タッチ位置検出部１０３が検出したタッチ位置に応じて動作モードを一時的にマウスモードに切り替えることができる。
【０１０６】
〔実施形態６〕
本発明の第６の実施形態について、図１３に基づいて説明すれば、以下のとおりである。なお、説明の便宜上、前記実施形態にて説明した部材と同じ機能を有する部材については、同じ符号を付記し、その説明を省略する。図１３は、本実施形態に係る表示システム１であって、リモコン１００ａと、リモコン１００ａの操作対象である表示装置２００ａとを備えた表示システム１の構成例を示す機能ブロック図である。本実施形態においては、表示装置２００ａにて動作モードの切り替えが行われる。すなわち、表示装置２００ａは、タッチモード及びマウスモードの２つの動作モードにて動作する表示装置である。
【０１０７】
図１３に示すように、本実施形態に係る表示システム１は、遠隔操作装置（リモコン）１００ａ、及び表示装置２００ａを備えている。また、図１３に示すようにリモコン１００ａは、タッチパッド１０１、移動量検出部（移動量検出手段）１０２ａ、タッチ位置検出部（タッチ位置検出手段）１０３ａ、ジェスチャ検出部１０４ａ、通信部１０６ａ、及び振動センサ１０９ａを備えている。
【０１０８】
本実施形態における、移動量検出部１０２ａは、前記実施形態に係るリモコン１００の備える移動量検出部１０２と同様の機能を有しているが、検出した移動量を示す移動量データが通信部１０６ａに供給されるという点において異なっている。同様に、タッチ位置検出部１０３ａが検出したタッチ位置を示すタッチ位置データ、ジェスチャ検出部１０４ａが検出したジェスチャを示すジェスチャデータ、及び振動センサ１０９ａが振動を検知した旨を示す通知は、それぞれ通信部１０６ａに供給される。通信部１０６ａは、上述の移動量データ、タッチ位置データ、ジェスチャデータ、及び振動を検知した旨を示す通知を表示装置２００ａに送信するという点において、前記実施形態に係るリモコン１００の備える通信部１０６と異なっている。
【０１０９】
また、図１３に示すように表示装置２００ａは、アンテナ２０１、チューナ部２０２、制御部２０３ａ、表示部２０４、通信部２０６ａ、記憶部２０７ａ、動作モード切替部２０８、ユーザ登録部２０９、カメラ２１０、及びユーザ特定部２１１を備えている。なお、本実施形態において、表示装置２００ａがユーザ登録部２０９、カメラ２１０、及びユーザ特定部２１１を備えている場合について説明するが、上記の各部は必須の構成ではない。
【０１１０】
制御部２０３ａは、演算処理部２０５から供給される操作指示を実行するための手段である。また、制御部２０３ａは、記憶部２０７ａに格納されている１又は複数のプログラム（以下、「アプリケーション」とも記載）を実行し、当該プログラムを実行して得られる画像（以下では、「アプリケーション画像」、「アプリ画像」とも記載）を表示部２０４に供給する。また、制御部２０３ａは、チューナ部２０２から供給された画像信号に基づいて、ＴＶ画像を生成する。生成されたＴＶ画像は、表示部２０４に供給される。また、制御部２０３ａは、アプリ画像とＴＶ画像とを同時に表示する場合には、アプリ画像と、ＴＶ画像とをそれぞれ表示部２０４に供給することにより、多画面表示を行うことができる。
【０１１１】
通信部２０６ａは、リモコン１００ａの通信部１０６ａから送信された各種データを受信する。すなわち、本実施形態において、通信部２０６ａは、タッチ位置取得手段、及び移動量取得手段として機能する。通信部２０６ａは、通信部１０６ａから受信した移動量データ、及びタッチ位置データを演算処理部２０５に供給する。また、通信部２０６ａは、通信部１０６ａから受信したタッチ位置データ、ジェスチャデータ、及び振動を検知した旨を示す通知を動作モード切替部２０８に供給する。
【０１１２】
演算処理部２０５は、通信部２０６ａから供給される移動量データ、及びタッチ位置データに基づいて、操作指示を制御部２０３ａに供給する。本実施形態に係る表示装置２００ａは、上述のように２つの動作モードを有している。そのため、演算処理部２０５は、後述する動作モード切替部２０８から、動作モードの切り替えを示す切替指示を受信し、受信した切替指示に基づいて、動作モードを切り替える。また、演算処理部２０５が制御部２０３ａに供給する操作指示は、現在の動作モードに応じて異なるため、演算処理部２０５は、現在の動作モードに応じて、制御部２０３ａに対する操作指示を決定する。
【０１１３】
記憶部２０７ａは、各種データを格納するための手段である。例えば、記憶部２０７ａには、制御部２０３ａが実行する１又は複数のプログラム、及び表示装置２００ａの設定データなどが格納されている。記憶部２０７ａに格納されている１又は複数のプログラムには、表示装置２００ａの動作を制御するためのプログラムであるＯＳ（Operating System）も含まれる。また、記憶部２０７ａには、動作モード切替部２０８が動作モードを切り替えるためのトリガとなるトリガ条件がさらに格納されている。さらに、記憶部２０７ａには、表示装置２００ａが実行可能なアプリケーションを示すアプリ情報Ａ１と、該アプリケーションに関連付けられた（設定された）動作モードを示すモード情報Ａ２と、リモコン１００ａのユーザを示すユーザ情報Ｕ１と、該ユーザに関連付けられた（設定された）動作モードを示すモード情報Ｕ２とが格納されている。
【０１１４】
動作モード切替部２０８は、第１の動作モードと、第２の動作モードとを切り替えるための切替手段である。動作モード切替部２０８が行う切替処理の詳細については、前記実施形態に係るリモコン１００の備える動作モード切替部１０８と同様である。本実施形態において、動作モード切替部２０８は、通信部２０６ａから供給されたタッチ位置データ、ジェスチャデータ、及び振動を検知した旨を示す通知の何れかをトリガとして表示装置２００ａの動作モードを切り替える。動作モード切替部２０８は、記憶部２０７ａに格納されているトリガ条件を参照して、タッチ位置データ、及びジェスチャデータがトリガ条件を満たしているか否かを判定する。動作モード切替部２０８は、トリガ条件を満たしていると判定した場合に、動作モードの切り替えを示す切替指示を演算処理部２０５に送信する。
【０１１５】
ユーザ登録部２０９は、１又は複数のユーザをリモコン１００ａのユーザとして登録するための手段である。ユーザ登録部２０９は、登録されたユーザのユーザ情報Ｕ１と、該ユーザに関連付けられたモード情報Ｕ２とを記憶部２０７ａに格納する。
【０１１６】
カメラ２１０は、リモコン１００ａのユーザを撮像するための撮像手段である。撮像されたユーザの画像を示す画像データは、ユーザ特定部２１１に供給される。また、撮像した画像を示す画像データを制御部２０３ａに供給する構成としてもよい。制御部２０３ａは、カメラ２１０から供給された画像データに基づき、カメラ画像を生成し、表示部２０４に供給する。
【０１１７】
ユーザ特定部２１１は、リモコン１００ａのユーザを特定するためのユーザ特定手段である。本実施形態において、ユーザ特定部２１１は、カメラ２１０が撮像した画像と、記憶部２０７ａに予め登録されているユーザの画像とを比較することによりリモコン１００ａのユーザを特定する。ユーザ特定部２１１は、特定したユーザを示すユーザ情報Ｕ１を動作モード切替部２０８に供給する。また、ユーザ特定部２１１は、リモコン１００ａのユーザを特定できない場合には、ユーザが特定できない旨を動作モード切替部２０８に通知する。動作モード切替部２０８は、ユーザ特定部２１１が特定したユーザに応じて表示装置２００ａの動作モードを切り替えるように、演算処理部２０５に動作モードの切り替えを示す切替指示を送信する。
【０１１８】
以上のように、本実施形態に係る表示装置２００ａがタッチモードとマウスモードとを有していることにより、ユーザは、リモコン１００ａのみを用いて、用途に応じて２つの動作モードの何れかにより表示装置２００ａを遠隔操作することができる。
【０１１９】
したがって、本実施形態に係る表示装置２００ａによれば、ユーザの操作性を向上させることができる。また、表示装置２００ａとリモコン１００ａとを備える表示システム１も本明細書に記載された発明の範疇に含まれる。
【０１２０】
なお、本実施形態に係る表示システム１において、リモコン１００ａの備える移動量検出部１０２ａ、タッチ位置検出部１０３ａ、及びジェスチャ検出部１０４ａを、表示装置２００ａが備える構成としてもよい。上記の場合、表示装置２００ａは、リモコン１００ａから、操作指示体によるタッチパッド１０１上のタッチ位置、操作指示体のタッチパッド１０１上の移動量、及び、操作指示体によるタッチが継続している間のタッチの軌跡を取得することにより、タッチ位置データ、移動量データ、及びジェスチャデータをそれぞれ生成することができる。さらに、表示装置２００ａの備える動作モード切替部２０８を、リモコン１００ａが備える構成としてもよい。上記の場合、リモコン１００ａは、表示装置の動作モードを切り替える切替指示を表示装置２００ａに送信し、表示装置２００ａは、当該切替指示に基づいて、動作モードを切り替えることができる。
【０１２１】
また、各実施形態において説明した表示装置を備えているテレビジョン受像機も本明細書に記載された発明の範疇に含まれる。
【０１２２】
〔実施形態７〕
本発明の第７の実施形態について、図１４〜１８に基づいて説明すれば、以下のとおりである。
【０１２３】
（表示システム１ｂの構成）
図１４は、本実施形態に係る表示システム１ｂであって、リモコン１００ｂと、リモコン１００ｂの操作対象である表示装置２００とを備えた表示システム１ｂの構成例を示す機能ブロック図である。
【０１２４】
図１４に示すように、本実施形態に係る表示システム１ｂは、遠隔操作装置（リモコン）１００ｂ、及び表示装置２００を備えている。また、図１４に示すように、リモコン１００ｂは、タッチパッド１０１、移動量検出部（移動量検出手段）１０２、タッチ位置検出部（タッチ位置検出手段）１０３、ジェスチャ検出部１０４、演算処理部１０５ｂ、通信部１０６、記憶部１０７ｂ、動作モード切替部１０８ｂ、振動センサ１０９、及び押下検出部１１０を備えている。なお、説明の便宜上、前記実施形態にて説明した部材と同じ機能を有する部材については、同じ符号を付記し、その説明を省略する。
【０１２５】
本実施形態に係る表示システム１ｂの備えるリモコン１００ｂ、及び表示装置２００は、前記実施形態に係るリモコン１００、及び表示装置２００と略同様の構成であるが、本実施形態において特筆すべきは、リモコン１００ｂが押下検出部１１０を備えており、タッチパッド１０１を押下している間はタッチモードとして動作し、タッチパッド１０１を押下していない間は、マウスモードとして動作する点である。
【０１２６】
押下検出部１１０は、操作指示体によるタッチパッド１０１に対する押下を検出するための手段（押下検出手段）である。例えば、操作指示体によりタッチパッド１０１が押下されたことを検出した場合に、押下検出部１１０は、タッチパッド１０１に対する押下が開始されたことを示す通知（以下、「オン通知」とも呼ぶ）を演算処理部１０５ｂ、及び動作モード切替部１０８ｂに送信する。また、タッチパッド１０１が操作指示体により押下されている状態で、当該押下が終了したことを検出した場合に、押下検出部１１０は、タッチパッド１０１に対する押下が終了したことを示す通知（以下、「オフ通知」とも呼ぶ）を演算処理部１０５ｂ、及び動作モード切替部１０８ｂに送信する。なお、押下検出部１１０による、タッチパッド１０１に対する押下の検出については、参照する図面を代えて後述する。
【０１２７】
本実施形態に係る動作モード切替部１０８ｂは、前記実施形態にて説明したトリガに加え、押下検出部１１０から受信したオン通知、及びオフ通知をトリガとして、リモコン１００ｂの動作モードを切り替える。例えば、本実施形態に係る記憶部１０７ｂに、トリガ条件として、押下検出部１１０からのオン通知の受信に応じて動作モードをタッチモードに切り替え、オフ通知の受信に応じて動作モードをマウスモードに切り替える旨の条件を格納しておき、動作モード切替部１０８ｂは、記憶部１０７ｂを参照して、トリガ条件を満たしていると判定した場合（すなわち、動作モード切替部１０８ｂがオン通知またはオフ通知を受信した場合）に、動作モードの切り替えを示す切替指示を演算処理部１０５ｂに送信する構成とすることができる。これにより、リモコン１００ｂは、タッチパッド１０１を押下している間はタッチモードとして動作し、タッチパッド１０１を押下していない間は、マウスモードとして動作する。
【０１２８】
本実施形態に係る演算処理部１０５ｂは、前記実施形態に係る演算処理部１０５と同様に、移動量検出部１０２から供給される移動量データ、及びタッチ位置検出部１０３から供給されるタッチ位置データに基づいて、表示装置２００に対する操作指示を、通信部１０６を介して表示装置２００に送信する。また、動作モード切替部１０８ｂから、動作モードの切り替えを示す切替指示を受信し、受信した切替指示に基づいて、動作モードを切り替える。
【０１２９】
また、演算処理部１０５ｂは、押下検出部１１０から、オン通知を受信すると、表示装置２００の表示部２０４に表示されている表示画像に含まれる１又は複数のオブジェクト（例えば、アイコンなど）のうち、ポインタが指し示す位置に表示されているオブジェクトの状態を選択状態にする。一方、演算処理部１０５ｂは、押下検出部１１０から、オフ通知を受信すると、選択状態にされている当該オブジェクトの状態を非選択状態にする。すなわち、本実施形態に係る演算処理部１０５ｂは、押下検出部１１０から受信するオン通知またはオフ通知に基づいて、オブジェクトの選択状態を選択状態または非選択状態にするオブジェクト選択手段としても機能する。なお、演算処理部１０５ｂが、押下検出部１１０からオン通知を受信した際に、ポインタが指し示す位置にオブジェクトが表示されていない場合には、オブジェクトの選択処理は行われない。本実施形態に係る演算処理部１０５ｂによる操作指示の決定については、参照する図面を代えて後述する。
【０１３０】
（押下検出部１１０）
本実施形態に係るリモコン１００ｂの備える押下検出部１１０について、図１５を参照して説明する。図１５は、本実施形態に係るリモコン１００ｂの構成を示す概念図である。図１５の（ａ）は、リモコン１００ｂの構成を示す上面図である。
【０１３１】
図１５の（ａ）に示すように、リモコン１００ｂは、タッチパッド１０１、及びアームレスト１２０を備えている。図１５の（ｂ）は、リモコン１００ｂの断面構成を示す断面図である。図１５の（ｂ）において、図中の上方は、リモコン１００ｂの表側（すなわちタッチパッド１０１のタッチ面が存在する側）であり、図中の下方はリモコン１００ｂの裏側である。なお、図１５の（ａ）に示す構成例はあくまで例示であり、本発明を限定するものではない。
【０１３２】
図１５の（ｂ）に示すように、リモコン１００ｂは、タッチパッド１０１、アームレスト１２０、支持材１２１、クリックスイッチ１２２、及び基板１２３を備えている。タッチパッド１０１は、基板１２３との間に設けられた支持材１２１により支持されており、支持材１２１により支持されたタッチパッド１０１は、アームレスト１２０により保持されている。支持材１２１は、例えば、タッチパッド１０１が押下されることにより、上方からの押圧を受けると、下方に移動し、当該押圧が解放されると、上方に移動して元の位置に戻るように構成されている。例えば、支持材１２１の材料として弾性部材を用いる、または、支持材１２１にバネなどの弾性部材（不図示）を設けることにより上記のように構成することが可能である。
【０１３３】
また、支持材１２１の下部（すなわち、タッチパッド１０１と接している側と逆側）には、突起部１２１ａが設けられている。また、突起部１２１ａは、支持材１２１において、クリックスイッチ１２２の鉛直上方に位置するように設けられている。したがって、支持材１２１が押圧されることにより下方に移動すると、突起部１２１ａは、クリックスイッチ１２２を押下するように構成されている。
【０１３４】
図１５の（ｃ）は、リモコン１００ｂにおいて、タッチパッド１０１が押下されている状態のリモコン１００ｂの断面構成を示す断面図である。上述したように、タッチパッド１０１が押下されることにより、タッチパッド１０１を支持する支持材１２１が下方に移動し、支持材１２１の下部に設けられた突起部１２１ａが、クリックスイッチ１２２を押下する。すなわち、支持材１２１、及びクリックスイッチ１２２は、タッチパッド１０１に対する押下を検出する押下検出部１１０として機能する。
【０１３５】
なお、本実施形態において、押下検出部１１０を上記のように構成する場合について説明したが、これは本発明を限定するものではなく、例えば、タッチパッド１０１に対する押圧力を検出する圧力センサを備える構成としてもよい。上記の場合には、例えば、圧力センサにより検出された圧力値が、予め定められた値以上である場合に、タッチパッド１０１に対する押下が開始されたと判定し、予め定められた値を下回る場合に、タッチパッド１０１に対する押下が終了したと判定するように構成すればよい。
【０１３６】
（表示システム１ｂの動作の一例）
続いて、本実施形態に係る表示システム１ｂの動作の一例について、図１６を参照して説明する。図１６は、本実施形態に係る表示システム１ｂが表示する画面の遷移の一例を示す遷移図である。なお、図１６は、表示画面の一例であって、表示システム１ｂが表示する画面は、図１６に示したものに限定されるものではない。
【０１３７】
初めに、ユーザにより操作が行われていない場合、表示装置２００は、表示部２０４に図１６の画面ａを表示する。画面ａにはオブジェクト（アイコン）Ｏ１を含む、複数のオブジェクトが表示されている。
【０１３８】
続いて、ユーザが操作指示体によりタッチパッド１０１をタッチすると、タッチパッド１０１は、操作指示体によるタッチを検知し、タッチ位置検出部１０３は、当該タッチのタッチ位置を検出し、タッチ位置を示すタッチ位置データを生成する。タッチ位置検出部１０３は、生成したタッチ位置データを演算処理部１０５ｂ、及び動作モード切替部１０８ｂに供給する。動作モード切替部１０８ｂは、タッチ位置検出部１０３からタッチ位置データが供給されたことをトリガとして、動作モードをマウスモードに切り替える切替指示を演算処理部１０５ｂに送信する。演算処理部１０５ｂは、動作モード切替部１０８ｂから受信した切替指示に基づいて、動作モードをマウスモードに切り替える。なお、本実施形態においては、すでに動作モードがマウスモードに設定されている場合には、動作モードの切り替えは行わない。すなわち、ユーザが初めにタッチパッド１０１をタッチした時点において、マウスモードとして動作するように構成されている。また、演算処理部１０５ｂは、タッチ位置検出部１０３から供給されたタッチ位置データが示す位置にポインタ（以下、「マウスカーソル」と呼ぶ）を表示する指示を、表示装置２００に送信する。マウスカーソルを表示する指示を受信した表示装置２００は、表示部２０４に図１６の画面ｂを表示する。図１６に示すように、画面ｂにおいては、マウスカーソルＰ１が新たに表示されている。
【０１３９】
続いて、ユーザがタッチパッド上において操作指示体をスライドさせると、移動量検出部１０２は、操作指示体によるタッチパッド１０１上の移動量を検出し、検出した移動量を示す移動量データを生成する。移動量検出部１０２は、生成した移動量データを演算処理部１０５ｂに供給する。演算処理部１０５ｂは、移動量検出部１０２から供給された移動量データに基づいて、マウスカーソルＰ１を移動させる操作指示を、表示装置２００に送信する。表示装置２００は、受信した操作指示に基づいて、マウスカーソルＰ１を移動させ、表示部２０４に図１６の画面ｃを表示する。図１６の画面ｃに示すように、マウスカーソルＰ１の表示位置が移動されている。
【０１４０】
続いて、ユーザが操作指示体によりタッチパッド１０１を押下すると、押下検出部１１０は、タッチパッド１０１に対する押下が開始されたことを示すオン通知を演算処理部１０５ｂ、及び動作モード切替部１０８ｂに送信する。動作モード切替部１０８ｂは、押下検出部１１０からオン通知を受信すると、動作モードをタッチモードに切り替える切替指示を演算処理部１０５ｂに送信する。演算処理部１０５ｂは、押下検出部１１０からオン通知を受信すると、表示画像に含まれる複数のオブジェクトのうち、マウスカーソルＰ１が指し示す位置に表示されているオブジェクトＯ１の状態を選択状態にする。また、演算処理部１０５ｂは、動作モード切替部１０８ｂから受信した切替指示に基づいて、動作モードをタッチモードに切り替える。さらに、演算処理部１０５ｂは、表示しているマウスカーソルＰ１をタッチモードにおけるタッチ位置を示すポインタ（以下、「タッチカーソル」と呼ぶ）に変更する操作指示を、表示装置２００に送信する。表示装置２００は、受信した操作指示に基づいて、マウスカーソルＰ１をタッチカーソルＰ２に変更し、表示部２０４に図１６の画面ｄを表示する。図１６の画面ｄに示すように、マウスカーソルＰ１は、タッチカーソルＰ２に変更されている。
【０１４１】
続いて、ユーザが操作指示体によりタッチパッド１０１を押下したまま、タッチパッド１０１上をスライドさせると、移動量検出部１０２は、操作指示体によるタッチパッド１０１上の移動量を検出し、検出した移動量を示す移動量データを生成する。移動量検出部１０２は、生成した移動量データを演算処理部１０５ｂに供給する。演算処理部１０５ｂは、移動量検出部１０２から供給された移動量データに基づいて、タッチカーソルＰ２を移動させる操作指示を、表示装置２００に送信する。この際、オブジェクトＯ１が選択状態であるため、演算処理部１０５ｂは、タッチカーソルＰ２とともに、オブジェクトＯ１も移動させる操作指示（すなわち、オブジェクトＯ１をドラッグする操作指示）を表示装置２００に送信する。表示装置２００は、受信した操作指示に基づいて、タッチカーソルＰ２、及びオブジェクトＯ１を移動させ、表示部２０４に図１６の画面ｅを表示する。図１６の画面ｅに示すように、タッチカーソルＰ２、及びオブジェクトＯ１の表示位置が移動されている。
【０１４２】
続いて、ユーザが操作指示体によるタッチパッド１０１の押下を解除すると、押下検出部１１０は、タッチパッド１０１に対する押下が終了したことを示すオフ通知を演算処理部１０５ｂ、及び動作モード切替部１０８ｂに送信する。動作モード切替部１０８ｂは、押下検出部１１０からオフ通知を受信すると、動作モードをマウスモードに切り替える切替指示を演算処理部１０５ｂに送信する。演算処理部１０５ｂは、押下検出部１１０からオフ通知を受信すると、選択状態であるオブジェクトＯ１の状態を非選択状態にする。また、演算処理部１０５ｂは、動作モード切替部１０８ｂから受信した切替指示に基づいて、動作モードをマウスモードに切り替える。さらに、演算処理部１０５ｂは、表示しているタッチカーソルＰ２をマウスカーソルＰ１に変更する操作指示を、表示装置２００に送信する。表示装置２００は、受信した操作指示に基づいて、タッチカーソルＰ２をマウスカーソルＰ１に変更し、表示部２０４に図１６の画面ｆを表示する。図１６の画面ｆに示すように、タッチカーソルＰ２は、マウスカーソルＰ１に変更されている。
【０１４３】
続いて、ユーザがタッチパッド１０１上において操作指示体をスライドさせると、移動量検出部１０２は、操作指示体によるタッチパッド１０１上の移動量を検出し、検出した移動量を示す移動量データを生成する。移動量検出部１０２は、生成した移動量データを演算処理部１０５ｂに供給する。演算処理部１０５ｂは、移動量検出部１０２から供給された移動量データに基づいて、マウスカーソルＰ１を移動させる操作指示を、表示装置２００に送信する。表示装置２００は、受信した操作指示に基づいて、マウスカーソルＰ１を移動させ、表示部２０４に図１６の画面ｇを表示する。図１６の画面ｇに示すように、マウスカーソルＰ１の表示位置が移動されている。
【０１４４】
最後に、ユーザが操作指示体によるタッチパッド１０１へのタッチを解除すると、タッチ位置検出部１０３は、タッチが解除されたことを示す解除通知を演算処理部１０５ｂ、及び動作モード切替部１０８ｂに送信する。動作モード切替部１０８ｂは、タッチ位置検出部１０３からタッチの解除通知を受信すると、動作モードをタッチモードに切り替える切替指示を演算処理部１０５ｂに送信する。演算処理部１０５ｂは、動作モード切替部１０８ｂから受信した切替指示に基づいて、動作モードをタッチモードに切り替える。また、演算処理部１０５ｂは、タッチ位置検出部１０３からタッチの解除通知を受信すると、表示しているマウスカーソルＰ１の表示を解除する操作指示を、表示装置２００に送信する。表示装置２００は、受信した操作指示に基づいて、マウスカーソルＰ１の表示を解除し、表示部２０４に図１６の画面ｈを表示する。図１６の画面ｈに示すように、マウスカーソルＰ１の表示が解除されている。
【０１４５】
以上のように、本実施形態に係る表示システム１ｂは、ユーザが操作指示体によりタッチパッド１０１を押下したこと検出することにより動作モードを切り替えると共に、表示画像に含まれる１又は複数のオブジェクトのうち、ポインタが指し示す位置に表示されているオブジェクトの状態を選択状態にすることができる。したがって、ユーザは所望のオブジェクトに対する操作を行う際に、動作モードを一時的に切り替えることができるので、ユーザの操作性をさらに向上させることができる。
【０１４６】
（表示システム１ｂの動作の他の一例）
続いて、本実施形態に係る表示システム１ｂの動作の他の一例について、図１７を参照して説明する。図１７は、本実施形態に係る表示システム１ｂが表示する画面の遷移の他の一例を示す遷移図である。なお、図１７は、表示画面の一例であって、表示システム１ｂが表示する画面は、図１７に示したものに限定されるものではない。
【０１４７】
初めに、ユーザにより操作が行われていない場合、表示装置２００は、表示部２０４に図１７の画面ａを表示する。画面ａにはオブジェクトＯ１を含む、複数のオブジェクトが表示されている。
【０１４８】
続いて、ユーザが操作指示体によりタッチパッド１０１をタッチすると、上述の処理と同様の処理により、表示装置２００は、表示部２０４に図１７の画面ｂを表示する。図１７に示すように、画面ｂにおいては、マウスカーソルＰ１が新たに表示されている。
【０１４９】
続いて、ユーザが操作指示体によりタッチパッド１０１を押下すると、押下検出部１１０は、タッチパッド１０１に対する押下が開始されたことを示すオン通知を演算処理部１０５ｂ、及び動作モード切替部１０８ｂに送信する。動作モード切替部１０８ｂは、押下検出部１１０からオン通知を受信すると、動作モードをタッチモードに切り替える切替指示を演算処理部１０５ｂに送信する。図１７の画面ｂにおいて、マウスカーソルＰ１が指し示す位置には、何れのオブジェクトも表示されていない。したがって、押下検出部１１０からオン通知を受信した演算処理部１０５ｂは、オブジェクトの選択処理は行わない。また、演算処理部１０５ｂは、動作モード切替部１０８ｂから受信した切替指示に基づいて、動作モードをタッチモードに切り替える。さらに、演算処理部１０５ｂは、表示しているマウスカーソルＰ１をタッチカーソルＰ２に変更する操作指示を、表示装置２００に送信する。表示装置２００は、受信した操作指示に基づいて、マウスカーソルＰ１をタッチカーソルＰ２に変更し、表示部２０４に図１７の画面ｃを表示する。図１７の画面ｃに示すように、マウスカーソルＰ１は、タッチカーソルＰ２に変更されている。
【０１５０】
続いて、ユーザが操作指示体によりタッチパッド１０１を押下したまま、タッチパッド１０１上をスライドさせると、移動量検出部１０２は、操作指示体によるタッチパッド１０１上の移動量を検出し、検出した移動量を示す移動量データを生成する。移動量検出部１０２は、生成した移動量データを演算処理部１０５ｂに供給する。図１７に示す例においては、何れのオブジェクトも選択状態ではないため、演算処理部１０５ｂは、移動量検出部１０２から供給された移動量データに基づいて、画面をスクロールさせる操作指示、及びタッチカーソルＰ２を移動させる操作指示を、表示装置２００に送信する。表示装置２００は、受信した操作指示に基づいて、表示画面をスクロールさせると共に、タッチカーソルＰ２を移動させ、表示部２０４に図１７の画面ｄを表示する。図１７の画面ｄに示すように、表示されている画面がスクロールされることにより、表示画面に含まれる複数のオブジェクトの表示位置が移動されると共に、タッチカーソルＰ２が移動されている。
【０１５１】
続いて、ユーザが操作指示体によるタッチパッド１０１の押下を解除すると、上述した処理と同様の処理により、表示装置２００は、表示部２０４に図１７の画面ｅを表示する。図１７の画面ｅに示すように、タッチカーソルＰ２は、マウスカーソルＰ１に変更されている。
【０１５２】
続いて、ユーザがタッチパッド１０１上において操作指示体をスライドさせると、上述した処理と同様の処理により、表示装置２００は、表示部２０４に図１７の画面ｆを表示する。図１７の画面ｆに示すように、マウスカーソルＰ１の表示位置が移動されている。
【０１５３】
最後に、ユーザが操作指示体によるタッチパッド１０１へのタッチを解除すると、上述した処理と同様の処理により、表示装置２００は、表示部２０４に図１７の画面ｇを表示する。図１７の画面ｇに示すように、マウスカーソルＰ１の表示が解除されている。
【０１５４】
以上のように、本実施形態に係る表示システム１ｂは、ユーザが操作指示体によりタッチパッド１０１を押下したこと検出することにより動作モードを切り替える。また、ポインタが指し示す位置に何れのオブジェクトも表示されていない場合には、オブジェクトの選択処理は行わず、表示画面に対する操作を行うことができる。
【０１５５】
（表示システム１ｂが行う処理）
続いて、本実施形態に係る表示システム１ｂが行う処理の流れについて、図１８を参照して説明する。図１８は、本実施形態に係る表示システム１ｂが行う処理の流れを示すシーケンス図である。
【０１５６】
ユーザが操作指示体によりタッチパッド１０１をタッチすると、タッチパッド１０１は、操作指示体によるタッチを検知し、タッチ位置検出部１０３は、当該タッチのタッチ位置を検出し（Ｓ６０１）、タッチ位置を示すタッチ位置データを生成する。タッチ位置検出部１０３は、生成したタッチ位置データを演算処理部１０５ｂ、及び動作モード切替部１０８ｂに供給する。動作モード切替部１０８ｂは、タッチ位置検出部１０３からタッチ位置データが供給されたことをトリガとして、動作モードをマウスモードに切り替える切替指示を演算処理部１０５ｂに送信する（Ｓ６０２）。演算処理部１０５ｂは、タッチ位置検出部１０３から供給されたタッチ位置データが示す位置にマウスカーソルＰ１を表示する指示を、表示装置２００に送信する（Ｓ６０３）。マウスカーソルＰ１を表示する指示を受信した表示装置２００は、表示部２０４に表示する画面にマウスカーソルＰ１を新たに表示する（Ｓ６０４）。演算処理部１０５ｂは、動作モード切替部１０８ｂから受信した切替指示に基づいて、動作モードをマウスモードに切り替える（Ｓ６０５）。
【０１５７】
続いて、ユーザが操作指示体によりタッチパッド１０１を押下すると、押下検出部１１０は、タッチパッド１０１に対する押下が開始されたことを検出し（Ｓ６０６）、オン通知を演算処理部１０５ｂ、及び動作モード切替部１０８ｂに送信する。動作モード切替部１０８ｂは、押下検出部１１０からオン通知を受信すると、動作モードをタッチモードに切り替える切替指示を演算処理部１０５ｂに送信する（Ｓ６０７）。演算処理部１０５ｂは、表示しているマウスカーソルＰ１をタッチカーソルＰ２に変更する操作指示を、表示装置２００に送信する（Ｓ６０８）。表示装置２００は、受信した操作指示に基づいて、表示部２０４に表示されるマウスカーソルＰ１をタッチカーソルＰ２に変更する（Ｓ６０９）。演算処理部１０５ｂは、動作モード切替部１０８ｂから受信した切替指示に基づいて、動作モードをタッチモードに切り替える（Ｓ６１０）。
【０１５８】
続いて、ユーザが操作指示体によるタッチパッド１０１の押下を解除すると、押下検出部１１０は、タッチパッド１０１に対する押下が終了したことを検出し（Ｓ６１１）し、オフ通知を演算処理部１０５ｂ、及び動作モード切替部１０８ｂに送信する。動作モード切替部１０８ｂは、押下検出部１１０からオフ通知を受信すると、動作モードをマウスモードに切り替える切替指示を演算処理部１０５ｂに送信する（Ｓ６１２）。演算処理部１０５ｂは、表示しているタッチカーソルＰ２をマウスカーソルＰ１に変更する操作指示を、表示装置２００に送信する（Ｓ６１３）。表示装置２００は、受信した操作指示に基づいて、表示部２０４に表示されるタッチカーソルＰ２をマウスカーソルＰ１に変更する（Ｓ６１４）。演算処理部１０５ｂは、動作モード切替部１０８ｂから受信した切替指示に基づいて、動作モードをマウスモードに切り替える（Ｓ６１５）。
【０１５９】
最後に、ユーザが操作指示体によるタッチパッド１０１へのタッチを解除すると、タッチ位置検出部１０３は、タッチが解除されたことを検出し（Ｓ６１６）、解除通知を演算処理部１０５ｂ、及び動作モード切替部１０８ｂに送信する。動作モード切替部１０８ｂは、タッチ位置検出部１０３からタッチの解除通知を受信すると、動作モードをタッチモードに切り替える切替指示を演算処理部１０５ｂに送信する（Ｓ６１７）。また、演算処理部１０５ｂは、タッチ位置検出部１０３からタッチの解除通知を受信すると、表示しているマウスカーソルＰ１の表示を解除する操作指示を、表示装置２００に送信する（Ｓ６１８）。表示装置２００は、受信した操作指示に基づいて、表示部２０４に表示されるマウスカーソルＰ１の表示を解除する（Ｓ６１９）。
【０１６０】
以上のように、本実施形態に係る表示システム１ｂによれば、ユーザは所望のオブジェクトに対する操作を行う際に、動作モードを一時的に切り替えることができるので、ユーザの操作性をさらに向上させることができる。
【０１６１】
なお、本実施形態に係る表示システム１ｂにおいて、リモコン１００ｂの備える移動量検出部１０２、タッチ位置検出部１０３、ジェスチャ検出部１０４、演算処理部１０５ｂ、及び動作モード切替部１０８ｂを、表示装置２００が備える構成としてもよい。
【０１６２】
〔ソフトウェアによる実現例〕
リモコン１００の制御ブロック（特に演算処理部１０５および動作モード切替部１０８）は、集積回路（ＩＣチップ）等に形成された論理回路（ハードウェア）によって実現してもよいし、ＣＰＵ（Central Processing Unit）を用いてソフトウェアによって実現してもよい。
【０１６３】
後者の場合、リモコン１００は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１６４】
〔まとめ〕
本発明の態様１に係る表示システム１は、表示装置２００ａと、当該表示装置を操作するための遠隔操作装置１００ａと、を備えた表示システムであって、上記遠隔操作装置は、操作指示体による入力操作を受け付けるタッチパッド１０１を備え、当該表示システムは、上記タッチパッドにおける上記操作指示体のタッチ位置を検出するタッチ位置検出手段（タッチ位置検出部１０３ａ）と、上記タッチパッドにタッチした上記操作指示体の上記タッチパッド上の移動量を検出する移動量検出手段（移動量検出手段１０２ａ）と、を備え、上記表示装置は、上記タッチ位置検出手段によって検出された座標値を参照した動作を行う第１の動作モード（タッチモード）と、上記移動量検出手段により検出された移動量に基づいて、上記表示装置が表示する表示画像上のポインタを移動させる第２の動作モード（マウスモード）とを有する、ことを特徴としている。
【０１６５】
タッチモードは、タッチパネルに対するタッチ入力操作をしている場合と同様に動作する動作モードであり、マウスモードはマウスを用いて操作している場合と同様に動作する動作モードである。リモコン１００ａが、タッチモードとマウスモードとを有していることにより、ユーザは、用途に応じて入力デバイス（リモコン）を切り替える必要がない。
【０１６６】
したがって、上記の構成によれば、ユーザの操作性を向上させることができる。
【０１６７】
本発明の態様２に係る表示システム１は、上記態様１において、上記第１の動作モードと、上記第２の動作モードとを切り替える切替手段（動作モード切替部２０８）を更に備えている、ことが好ましい。
【０１６８】
上記の構成によれば、ユーザは、表示システム１の動作モードをタッチモードとマウスモードとの何れかに切り替えることができる。
【０１６９】
したがって、上記の構成によれば、ユーザの操作性向上に資する。
【０１７０】
本発明の態様３に係る表示システム１は、上記態様２において、上記切替手段は、上記タッチ位置検出手段が上記タッチパッド上の予め定められた第１の領域（領域Ｒ１）へのタッチを検出した場合に、上記第１の動作モードと、上記第２の動作モードとを切り替える、ことが好ましい。
【０１７１】
上記の構成によれば、表示システム１は、ユーザが操作指示体により領域Ｒ１へタッチしたことを検出することにより、動作モードを切り替えることができる。
【０１７２】
したがって、上記の構成によれば、ユーザの操作性をさらに向上させることができる。
【０１７３】
本発明の態様４に係る表示システム１は、上記態様２または３において、上記タッチパッド上におけるジェスチャを検出するジェスチャ検出手段（ジェスチャ検出部１０４ａ）を更に備え、上記切替手段は、上記ジェスチャ検出手段により検出されたジェスチャが、予め定められたジェスチャである場合に、上記第１の動作モードと、上記第２の動作モードとを切り替える、ことが好ましい。
【０１７４】
上記の構成によれば、表示システム１は、ユーザが操作指示体により予め定められたジェスチャを入力したことを検出することにより、動作モードを切り替えるので、誤検出による動作モードの切り替えを低減することができる。
【０１７５】
したがって、上記の構成によれば、ユーザの操作性をさらに向上させることができる。
【０１７６】
本発明の態様５に係る表示システム１は、上記態様２から４において、上記切替手段は、上記タッチ位置検出手段が上記タッチパッド上の２点タッチを検出した場合に、上記第１の動作モードと、上記第２の動作モードとを切り替え、上記タッチ位置検出手段が当該２点タッチの検出を終了した場合に、上記第１の動作モードと、上記第２の動作モードとを切り替える、ことが好ましい。
【０１７７】
上記の構成によれば、表示システム１は、ユーザが操作指示体により２点タッチしたことを検出することにより、動作モードを切り替え、当該２点タッチが終了したことを検出することにより動作モードを再度切り替えることができる。
【０１７８】
したがって、上記の構成によれば、表示システム１は、動作モードを一時的に切り替えることができるので、ユーザの操作性をさらに向上させることができる。
【０１７９】
本発明の態様６に係る表示システム１は、上記態様２から５において、上記切替手段は、上記表示装置が実行するアプリケーションに応じて、上記第１の動作モードと、上記第２の動作モードとを切り替える、ことが好ましい。
【０１８０】
上記の構成によれば、表示システム１は、表示装置２００ａが実行するアプリケーションの各々に対して予め設定されている動作モードに基づいて、当該アプリケーションの起動時に動作モードを切り替えることができる。
【０１８１】
したがって、上記の構成によれば、表示装置２００ａが実行するアプリケーションに最適な動作モードに自動的に切り替えることができるので、ユーザの操作性をさらに向上させることができる。
【０１８２】
本発明の態様７に係る表示システム１は、上記態様２から６において、上記遠隔操作装置は、上記遠隔操作装置の振動を検知する振動センサ１０９ａを更に備え、上記切替手段は、上記振動センサにより振動が検知された場合に、上記第１の動作モードと、上記第２の動作モードとを切り替える、ことが好ましい。
【０１８３】
上記の構成によれば、ユーザは、リモコン１００ａを振動させる操作により動作モードを切り替えることができる。
【０１８４】
したがって、上記の構成によれば、ユーザの操作性向上にさらに資する。
【０１８５】
本発明の態様８に係る表示システム１は、上記態様２から７において、上記遠隔操作装置のユーザを特定する特定手段、を更に備え、上記切替手段は、上記特定手段により特定されたユーザに応じて上記第１の動作モードと、上記第２の動作モードとを切り替える、ことが好ましい。
【０１８６】
上記の構成によれば、表示システム１は、リモコン１００ａのユーザとして予め登録されているユーザの各々に対して関連付けられている動作モードに基づいて、表示装置２００ａの起動時に動作モードを切り替えることができる。
【０１８７】
したがって、上記の構成によれば、リモコン１００ａのユーザの所望する動作モードに自動的に切り替えることができるので、ユーザの操作性をさらに向上させることができる。
【０１８８】
本発明の態様９に係る表示システム１ｂは、上記態様２から８において、上記操作指示体による上記タッチパッドに対する押下を検出する押下検出手段（押下検出部１１０）を更に備え、上記切替手段（動作モード切替部１０８ｂ）は、上記押下検出手段が上記タッチパッドに対する押下を検出した場合に、上記第１の動作モードと、上記第２の動作モードとを切り替え、上記押下検出手段が当該押下の検出を終了した場合に、上記第１の動作モードと、上記第２の動作モードとを切り替える、ことが好ましい。
【０１８９】
上記の構成によれば、表示システム１ｂは、ユーザが操作指示体によりタッチパッド１０１を押下したことを検出することにより、動作モードを切り替え、当該押下が終了したことを検出することにより動作モードを再度切り替えることができる。
【０１９０】
したがって、上記の構成によれば、表示システム１は、動作モードを一時的に切り替えることができるので、ユーザの操作性をさらに向上させることができる。
【０１９１】
本発明の態様１０に係る表示システム１ｂは、上記態様９において、上記押下検出手段（押下検出部１１０）が、上記タッチパッドに対する押下を検出した場合に、上記表示画像に含まれる１又は複数のオブジェクトのうち、上記ポインタが指し示す位置に表示されているオブジェクトの状態を選択状態にし、上記押下検出手段が、当該押下の検出を終了した場合に、当該オブジェクトの状態を非選択状態にするオブジェクト選択手段（演算処理部１０５ｂ）をさらに備えている、ことが好ましい。
【０１９２】
上記の構成によれば、表示システム１ｂは、ユーザが操作指示体によりタッチパッド１０１を押下したこと検出することにより動作モードを切り替えると共に、表示画像に含まれる１又は複数のオブジェクトのうち、ポインタが指し示す位置に表示されているオブジェクトの状態を選択状態にすることができる。
【０１９３】
したがって、上記の構成によれば、ユーザは所望のオブジェクトに対する操作を行う際に、動作モードを一時的に切り替えることができるので、ユーザの操作性をさらに向上させることができる。
【０１９４】
本発明の態様１１に係る表示装置２００ａは、遠隔操作装置（リモコン１００ａ）により操作される表示装置であって、上記遠隔操作装置の備えるタッチパッドにおける操作指示体のタッチ位置を取得するタッチ位置取得手段（通信部２０６ａ）と、上記タッチパッドにタッチした上記操作指示体の上記タッチパッド上の移動量を取得する移動量取得手段（通信部２０６ａ）と、を備え、上記タッチ位置取得手段により取得した座標値を参照した動作を行う第１の動作モードと、上記移動量取得手段により取得した移動量に基づいて、当該表示装置が表示する表示画像上のポインタを移動させる第２の動作モードとを有する、ことを特徴としている。
【０１９５】
上記の構成によれば、表示装置２００ａがタッチモードとマウスモードとを有していることにより、ユーザは、用途に応じてリモコン１００ａのみを用いて、２つの動作モードの何れかにより表示装置２００ａを遠隔操作することができる。
【０１９６】
したがって、上記の構成によれば、ユーザの操作性を向上させることができる。
【０１９７】
本発明の態様１２に係る表示装置２００ａの上記各手段を備えていることを特徴とするテレビジョン受像機も本明細書に記載された発明の範疇に含まれる。
【０１９８】
本発明の態様１３に係る遠隔操作装置（リモコン１００）は、表示装置２００を操作するための遠隔操作装置であって、操作指示体による入力操作を受け付けるタッチパッド１０１と、上記タッチパッドにおける上記操作指示体のタッチ位置を検出するタッチ位置検出手段（タッチ位置検出部１０３）と、上記タッチパッドにタッチした上記操作指示体の上記タッチパッド上の移動量を検出する移動量検出手段（移動量検出部１０２）と、を備え、上記タッチ位置検出手段により検出された座標値を参照した操作指示を行う第１の動作モードと、上記移動量検出手段により検出された移動量に基づいて、上記表示装置が表示する表示画像上のポインタを移動させる旨の指示を行う第２の動作モードとを有する、ことを特徴としている。
【０１９９】
上記の構成によれば、上記の表示システム１の備える遠隔操作装置１００ａと同様の効果を奏する。
【０２００】
本発明の態様１４に係る表示システムの制御方法は、表示装置と、当該表示装置を操作するための遠隔操作装置と、を備えた表示システムの制御方法であって、上記遠隔操作装置は、操作指示体による入力操作を受け付けるタッチパッドを備え、上記タッチパッドにおける上記操作指示体のタッチ位置を検出するタッチ位置検出ステップと、上記タッチパッドにタッチした上記操作指示体の上記タッチパッド上の移動量を検出する移動量検出ステップと、を含み、上記表示装置は、上記タッチ位置検出ステップにて検出された座標値を参照した動作を行う第１の動作モードと、上記移動量検出ステップにて検出された移動量に基づいて、上記表示装置が表示する表示画像上のポインタを移動させる第２の動作モードとを有する、ことを特徴としている。
【０２０１】
上記の構成によれは、上記の表示システム１と同様の効果を奏する。
【０２０２】
本発明の態様１５に係る表示装置の制御方法は、遠隔操作装置により操作される表示装置の制御方法であって、上記遠隔操作装置の備えるタッチパッドにおける操作指示体のタッチ位置を取得するタッチ位置取得ステップと、上記タッチパッドにタッチした上記操作指示体の上記タッチパッド上の移動量を取得する移動量取得ステップと、を含み、上記タッチ位置取得ステップにて取得した座標値を参照した操作指示を行う第１の動作モードと、上記移動量取得ステップにて取得した移動量に基づいて、当該表示装置が表示する表示画像上のポインタを移動させる旨の指示を行う第２の動作モードとを有する、ことを特徴としている。
【０２０３】
上記の構成によれば、上記の表示装置２００ａと同様の効果を奏する。
【０２０４】
本発明の態様１６に係る遠隔操作装置の制御方法は、表示装置を操作するための遠隔操作装置の制御方法であって、操作指示体による入力操作を受け付けるタッチパッドにおける上記操作指示体のタッチ位置を検出するタッチ位置検出ステップと、上記タッチパッドにタッチした上記操作指示体の上記タッチパッド上の移動量を検出する移動量検出ステップと、を含み、上記遠隔操作装置は、上記タッチ位置検出ステップにて検出された座標値を参照した動作を行う第１の動作モードと、上記移動量検出ステップにて検出された移動量に基づいて、上記表示装置が表示する表示画像上のポインタを移動させる第２の動作モードとを有する、ことを特徴としている。
【０２０５】
上記の構成によれば、上記のリモコン１００と同様の効果を奏する。
【０２０６】
本発明の各態様に係る遠隔操作装置、及び表示装置は、コンピュータによって実現してもよく、この場合には、コンピュータを上記遠隔操作装置、及び上記表示装置が備える各手段として動作させることにより上記遠隔操作装置、及び上記表示装置をコンピュータにて実現させる上記遠隔操作装置、及び上記表示装置の制御プログラム、およびそれを記録したコンピュータ読み取り可能な記録媒体も、本明細書に記載された発明の範疇に入る。
【０２０７】
〔付記事項２〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０２０８】
本発明は、表示装置を操作するための遠隔操作装置に好適に利用することができる。
【符号の説明】
【０２０９】
１、１ｂ                  表示システム
１００、１００ａ、１００ｂ      遠隔操作装置（リモコン）
１０１                            タッチパッド
１０２、１０２ａ                  移動量検出部（移動量検出手段）
１０３、１０３ａ                  タッチ位置検出部（タッチ位置検出手段）
１０４、１０４ａ                  ジェスチャ検出部（ジェスチャ検出手段）
１０５、１０５ｂ                  演算処理部（オブジェクト選択手段）
１０６、１０６ａ                  通信部
１０７、１０７ｂ                  記憶部
１０８、１０８ｂ                  動作モード切替部（切替手段）
１０９、１０９ａ                  振動センサ
２００、２００ａ                表示装置
２０１                            アンテナ
２０２                            チューナ部
２０３、２０３ａ                  制御部
２０４                            表示部
２０６                            通信部
２０６ａ                          通信部（タッチ位置取得手段、移動量取得手段）
２０７、２０７ａ                  記憶部
２０８                            動作モード切替部（切替手段）
２０９                            ユーザ登録部
２１０                            カメラ
２１１                            ユーザ特定部（ユーザ特定手段）
【図１】
2015075946.tif 000003
【図２】
2015075946.tif 000004
【図３】
2015075946.tif 000005
【図４】
2015075946.tif 000006
【図５】
2015075946.tif 000007
【図６】
2015075946.tif 000008
【図７】
2015075946.tif 000009
【図８】
2015075946.tif 000010
【図９】
2015075946.tif 000011
【図１０】
2015075946.tif 000012
【図１１】
2015075946.tif 000013
【図１２】
2015075946.tif 000014
【図１３】
2015075946.tif 000015
【図１４】
2015075946.tif 000016
【図１５】
2015075946.tif 000017
【図１６】
2015075946.tif 000018
【図１７】
2015075946.tif 000019
【図１８】
2015075946.tif 000020